(57)【要約】【課題】  光照射装置に落下衝撃や衝突衝撃などが作用するような場合でも、光源がショートし断線するのを確実に防止できる、耐久性に優れた光照射装置を提供する。【解決手段】光照射装置は、発光構造４と、発光構造４を収容するケース構造１とを備える。発光構造４とケース構造１との間に、ケース構造１に作用する外部衝撃が発光構造４に伝わるのを緩和吸収する衝撃吸収構造６５を設ける。衝撃吸収構造６５は、少なくともひとつの金属製のばね体６９を衝撃吸収要素にして構成されている。【選択図】図１
2020054496.tif 000002
【特許請求の範囲】
【請求項１】
発光構造（４）と、同構造（４）を収容するケース構造（１）とを備えており、
発光構造（４）とケース構造（１）の間に、ケース構造（１）に作用する外部衝撃が発光構造（４）に伝わるのを緩和吸収する衝撃吸収構造（６５）が設けられていることを特徴とする光照射装置。
【請求項２】
ケース構造（１）の内部に導風路（９）が形成され、導風路（９）の前端に吹出口（１１）が開口されており、
導風路（９）の内部に、吹出口（１１）の側から順に発光構造（４）と、乾燥風を発光構造（４）および吹出口（１１）へ向かって送給する送風構造（３）とが配置されており、
発光構造（４）とケース構造（１）の間に設けた衝撃吸収構造（６５）が、少なくともひとつの金属製のばね体を衝撃吸収要素にして構成されている請求項１に記載の光照射装置。
【請求項３】
発光構造（４）が、光源（２８）と、前部に照射開口を有し、光源（２８）から照射された光を照射開口へ向かって反射案内するリフレクタ（２９）とを備えており、
発光構造（４）は、発光構造（４）の前部とケース構造（１）の間に設けた前支持構造と、発光構造（４）の後部とケース構造（１）の間に設けた後支持構造とで支持されており、
前支持構造と後支持構造のうち、少なくとも後支持構造が衝撃吸収構造（６５）を備えており、
発光構造（４）が外部衝撃を受ける状態において、前支持構造で支持した発光構造前部の径方向変位量が、後支持構造で支持した発光構造後部の径方向変位量より小さくなるように構成されている請求項１または２に記載の光照射装置。
【請求項４】
発光構造（４）を支持する前支持構造と後支持構造の両者が、衝撃吸収構造（６５・６５）で構成されている請求項３に記載の光照射装置。
【請求項５】
発光構造（４）が外部衝撃を受ける状態において、後支持構造である衝撃吸収構造（６５）の変位量が、前支持構造である衝撃吸収構造（６５）の変位量より大きくなるように構成されている請求項４に記載の光照射装置。
【請求項６】
前支持構造の衝撃吸収構造（６５）が、粘弾性体（６７）を衝撃吸収要素にして構成されており、
後支持構造の衝撃吸収構造（６５）が、金属製のばね体（６９）を衝撃吸収要素にして構成されている請求項４、または５に記載の光照射装置。
【請求項７】
発光構造（４）と粘弾性体（６７）とが、発光構造（４）の径方向に凹凸係合する状態で接合されており、発光構造（４）の径方向移動と前後方向の移動が粘弾性体（６７）で緩和吸収されている請求項６に記載の光照射装置。
【請求項８】
前支持構造の衝撃吸収構造（６５）と、後支持構造の衝撃吸収構造（６５）とが、それぞれ金属製のばね体（６９）を衝撃吸収要素にして構成されており、
前支持構造のばね体（６９）のばね定数が、後支持構造のばね体（６９）のばね定数より大きく設定されている請求項４、または５に記載の光照射装置。
【請求項９】
後支持構造の衝撃吸収構造（６５）が、発光構造（４）の周囲３個所ないし４個所を支持するコイルばねからなる衝撃吸収ばね（６９）で構成されている請求項３から６のいずれかひとつに記載の光照射装置。
【請求項１０】
後支持構造の衝撃吸収構造（６５）が、発光構造（４）の周囲を支持する３個のコイルばねからなる衝撃吸収ばね（６９）で構成されている請求項９記載の光照射装置。
【請求項１１】
後支持構造の周囲を囲むケース構造（１）の内面に、発光構造（４）を支持するリング状のばね受枠（６４）が固定されており、
発光構造（４）と対向するばね受枠（６４）の３個所以上にばね座（７１）が形成されて、ばね座（７１）と発光構造（４）の間に、圧縮コイルばねからなる衝撃吸収ばね（６９）が配置されている請求項９、または１０に記載の光照射装置。
【請求項１２】
リング状のばね受枠（６４）が六角リング状に形成されて、ばね座（７１）が３個のリング枠部に周方向へ均等に隣接する状態で配置されている請求項１１に記載の光照射装置。
【請求項１３】
リフレクタ（２９）が前リフレクタ（３７）と後リフレクタ（３８）を接合して構成されており、
前リフレクタ（３７）と後リフレクタ（３８）は、いずれか一方の接合部に形成した接合溝（５２）と、他方の接合部に設けられて接合溝（５２）に嵌合する係合壁（５７）を互いに凹凸係合して接合されている請求項３から１２のいずれかひとつに記載の光照射装置。
【請求項１４】
前リフレクタ（３７）と後リフレクタ（３８）のうち、接合溝（５２）を備えたリフレクタ（３８）に、接合溝（５２）の外溝壁を切欠いて凹状係合部（５４）が形成されており、他方のリフレクタ（３７）に、前記凹状係合部（５４）と係合する凸状係合部（５１）が形成されている請求項１３に記載の光照射装置。
【請求項１５】
凹状係合部（５４）と凸状係合部（５１）のいずれか一方にねじボス（５５）が形成されており、
凹状係合部（５４）と凸状係合部（５１）のいずれか一方に挿通したビス（５６）を、他方に設けたねじボス（５５）にねじ込んで、前リフレクタ（３７）と後リフレクタ（３８）とが分離不能に固定されている請求項１４に記載の光照射装置。
【請求項１６】
前リフレクタ（３７）が、分割形成された複数の分割体（３７ａ・３７ｂ）を接合して構成されており、
後リフレクタ（３８）の接合面には、前リフレクタ（３７）の開口周縁壁を嵌合支持する接合溝（５２）と、前リフレクタ（３７）の開口周縁壁の周面を支持する接合壁（５３）が形成されており、
複数の分割体（３７ａ・３７ｂ）を接合し、前リフレクタ（３７）の開口周縁壁を接合溝（５２）および接合壁（５３）で係合支持した状態において、凸状係合部（５１）と凹状係合部（５４）とを凹凸係合させて、前リフレクタ（３７）と後リフレクタ（３８）とが一体化されている請求項１３から１５のいずれかひとつに記載の光照射装置。
【請求項１７】
前リフレクタ（３７）の照射開口に、光源（２８）から放射された光のうち可視光の透過を阻むフィルタ（３０）が配置されており、
前リフレクタ（３７）は周方向へ分割形成された複数個の分割体（３７ａ・３７ｂ）を接合して筒状に構成されており、
フィルタ（３０）が、前リフレクタ（３７）の前端内面に形成したフィルタ受座（４１）と、前リフレクタ（３７）の前部周面に外嵌固定される押えリング（６０）で挟持固定されている請求項１３から１６のいずれかひとつに記載の光照射装置。
【請求項１８】
リフレクタ（２９）の後部に光源台（４５）が設けられており、
光源台（４５）に固定したソケット（３４）に光源（２８）のハウジング（３２）を装着することにより、光源（２８）が光源台（４５）で支持されている請求項１３から１７のいずれかひとつに記載の光照射装置。
【請求項１９】
衝撃吸収構造（６５）が、リフレクタ（２９）の周囲を支持するコイルばねからなる衝撃吸収ばね（６９）であり、
光源台（４５）の回りを囲む導風壁（４６）に、ばね受枠（６４）と協同して衝撃吸収ばね（６９）を受止めるばね座（７２）が形成されている請求項１８に記載に記載の光照射装置。
【請求項２０】
吹出口（１１）に臨む導風路（９）の内部に、イオン放出構造が設けられており、
イオン放出構造は、絶縁材で形成される横長長円状の電極ホルダー（９１）と、電極ホルダー（９１）で支持される３個の放電電極（９２）と、放電電極（９２）の周囲を囲む横長長円状の筒壁（９３）と、筒壁（９３）の周囲に固定される対向電極（９４）を備えている請求項２に記載の光照射装置。
【請求項２１】
対向電極（９４）の前縁に、複数の尖端放電部（９４ａ）が形成されている請求項２０に記載の光照射装置。
【請求項２２】
吹出口（１１）と正対する側から見るときのイオン放出構造の放電電極（９２）が、発光構造（４）とケース構造（１）の間に配置されており、
イオン放出構造から放出されたマイナスイオンを、送風構造（３）から送給される乾燥風とともに吹出口（１１）から送給できる請求項２０、または２１に記載の光照射装置。
【請求項２３】
イオン放出構造が、発光構造（４）の照射領域の外に位置する状態で、発光構造（４）と吹出口（１１）の間に配置されている請求項２０から２２のいずれかひとつに記載の光照射装置。
【請求項２４】
ケース構造（１）の風導筒（７）が、発光構造（４）と吹出口（１１）の間で前すぼまり状に形成されている請求項２０から２３のいずれかひとつに記載の光照射装置。
【請求項２５】
ケース構造（１）が、内面に導風路（９）を備えている風導筒（７）と、風導筒（７）に外嵌装着される外装筒（８）で二重筒状に構成されており、
吹出口（１１）に臨む風導筒（７）の前部に内凹み状のくびれ部（３５）が形成されており、
吹出口（１１）を囲むくびれ部（３５）の内面に吹出グリル（２５）が配置されている請求項２０から２４のいずれかひとつに記載の光照射装置。
【請求項２６】
風導筒（７）は２分割された一対の半割体（７ａ・７ｂ）を接合して形成されて、風導筒（７）に外嵌する外装筒（８）で一対の半割体（７ａ・７ｂ）が分離不能に保持されており、
外装筒（８）の前端内面に装着したリング状の吹出ケース（５）の内面に吹出口（１１）が設けられており、
吹出ケース（５）は、外装筒（８）の前端内面に張出したケース受座（８ａ）に受止め支持された状態で、風導筒（７）の前部周面に係合連結されており、
風導筒（７）に係合連結された吹出ケース（５）をビス（１９）で外装筒（８）に締結固定することにより、風導筒（７）と外装筒（８）が吹出ケース（５）を介して分離不能に保持固定されている請求項２５に記載の光照射装置。
【請求項２７】
吹出ケース（５）と風導筒（７）が吹出口連結構造で着脱可能に係合連結されており、
吹出ケース（５）の前部周縁にケース受座（８ａ）で受止め支持される接当部（５ａ）が形成され、吹出ケース（５）の後面に複数個の係合脚（５ｂ）が突設されており、
吹出口連結構造が、複数の係合脚（５ｂ）と、係合脚（５ｂ）に対応して風導筒（７）の前部外面に設けた複数の係合壁（７ｃ）で構成されており、
接当部（５ａ）がケース受座（８ａ）で受止め支持された状態で、吹出ケース（５）を回転操作することにより、係合脚（５ｂ）と係合壁（７ｃ）が互いに係合して、外装筒（８）と吹出ケース（５）と風導筒（７）の３者が一体化されている請求項２６に記載の光照射装置。
【請求項２８】
吹出口（１１）に臨む風導筒（７）の内面に、乾燥風の温度を検知する温度センサー（９８）が配置されている請求項２５から２７のいずれかひとつに記載の光照射装置。
【請求項２９】
温度センサー（９８）が、リフレクタ（２９）の照射開口より前方の風導筒（７）の内面に配置されている請求項２８に記載の光照射装置。
【発明の詳細な説明】
【技術分野】
【０００１】
本発明は、赤外線を利用して毛髪などの乾燥を行うドライヤーや光を患部に照射する光治療器などの、光源を備える光照射装置に関する。
【背景技術】
【０００２】
この種の光照射装置は例えば特許文献１に開示されている。特許文献１に記載のドライヤー（光照射装置）は、円筒状の筐体の内部に、ファン（送風ファン）と、熱線性光源（光源）と、熱線性光源の周囲を覆う反射体（リフレクタ）と、反射体の開口に配置されるフィルタなどを備える。熱線性光源は、ハロゲンランプ、白熱ランプ、キセノンランプ、メタルハライドランプなどで構成される。反射体の開口にフィルタを設けることにより、熱線性光源から放射された光（電磁波）のうち可視光の殆どを遮断して、髪を加熱する赤外光のみを透過させることができる。
【０００３】
本発明の光照射装置では、ハロゲンランプと可視光を遮断するフィルタをリフレクタに組込んで１個のユニット部品として構成し、得られた光源ユニットを衝撃吸収ばねや粘弾性体で浮動支持するが、この種の振動減衰構造は、例えば特許文献２のリアクトル装置に開示されている。特許文献２のリアクトル装置は、コア及びコイルを備えたリアクトルと、リアクトルを収納するケースを備えており、コアとケースの接触面に粘弾性体膜が設けられている。粘弾性体膜は、ゴム、熱可塑性エラストマー、高分子ゲル、ポリマーアロイなどで形成されている。
【先行技術文献】
【特許文献】
【０００４】
【特許文献１】国際公開第２０１６／０７２０３１号
【特許文献２】特開２００８−１１２８５６号公報
【発明の概要】
【発明が解決しようとする課題】
【０００５】
特許文献１のドライヤーによれば、従来のニクロム線ヒーターを熱源とするドライヤーに比べて消費電力を低減できる。しかし、熱線性光源は電力供給用のソケットを含む固定具に装着されており、固定具は筐体に固定されている。そのため、使用時のドライヤーを誤って床面に落としたような場合に、筐体および熱線性光源に大きな落下衝撃が作用し、フィラメントがショートし断線することがある。
【０００６】
特許文献２のリアクトル装置によれば、粘弾性体膜によりリアクトルの振動が減衰されてケースに伝達されるので、リアクトル装置や、同装置に連結された部材から発生する振動騒音を低減できる。しかし、特許文献２の振動減衰構造でドライヤーの光源ユニットを支持したとしても、光源ユニットに作用する落下衝撃を膜状の粘弾性体膜で吸収し減衰させることは難しく、特許文献１のドライヤーと同様に、フィラメントがショートし断線する可能性が高い。これは、ハロゲンランプに作用する落下衝撃が、粘弾性体膜で減衰できる衝撃値の限界を大きく超えるからである。
【０００７】
本発明の目的は、光照射装置に落下衝撃や衝突衝撃などが作用するような場合でも、光源がショートし断線するのを確実に防止できる、耐久性に優れた光照射装置を提供することにある。
【課題を解決するための手段】
【０００８】
本発明の光照射装置は、発光構造４と、同構造４を収容するケース構造１とを備え、発光構造４とケース構造１の間に、ケース構造１に作用する外部衝撃が発光構造４に伝わるのを緩和吸収する衝撃吸収構造６５が設けられていることを特徴とする（図１参照）。
【０００９】
ケース構造１の内部に導風路９が形成され、導風路９の前端に吹出口１１が開口されている。導風路９の内部に、吹出口１１の側から順に発光構造４と、乾燥風を発光構造４および吹出口１１へ向かって送給する送風構造３とが配置されている（図２参照）。発光構造４とケース構造１の間に設けた衝撃吸収構造６５は、少なくともひとつの金属製のばね体６９を衝撃吸収要素にして構成されている。
【００１０】
発光構造４は、光源２８と、前部に照射開口を有し、光源２８から照射された光を照射開口へ向かって反射案内するリフレクタ２９とを備えている。発光構造４は、発光構造４の前部とケース構造１の間に設けた前支持構造と、発光構造４の後部とケース構造１の間に設けた後支持構造とで支持されている。前支持構造と後支持構造のうち、少なくとも後支持構造が衝撃吸収構造６５を備えている。発光構造４が外部衝撃を受ける状態において、前支持構造で支持した発光構造前部の径方向変位量が、後支持構造で支持した発光構造後部の径方向変位量より小さくなるように構成されている。
【００１１】
図３に示すように、発光構造４を支持する前支持構造と後支持構造の両者が、衝撃吸収構造６５で構成されている。
【００１２】
発光構造４が外部衝撃を受ける状態において、後支持構造である衝撃吸収構造６５の変位量が、前支持構造である衝撃吸収構造６５の変位量より大きくなるように構成されている。具体的には、前支持構造である衝撃吸収構造６５の弾性係数は、後支持構造である衝撃吸収構造６５の弾性係数よりも大きく設定されている。
【００１３】
図３に示すように、前支持構造の衝撃吸収構造６５は、粘弾性体６７を衝撃吸収要素にして構成されている。また、後支持構造の衝撃吸収構造６５は、金属製のばね体６９を衝撃吸収要素にして構成されている。
【００１４】
発光構造４と粘弾性体６７とは、発光構造４の径方向に凹凸係合する状態で接合されており（図２２参照）、発光構造４の径方向移動と前後方向の移動が粘弾性体６７で緩和吸収されている。
【００１５】
前支持構造の衝撃吸収構造６５と、後支持構造の衝撃吸収構造６５とが、それぞれ金属製のばね体６９を衝撃吸収要素にして構成されている（図２６参照）。前支持構造のばね体６９のばね定数は、後支持構造のばね体６９のばね定数より大きく設定されている。
【００１６】
後支持構造の衝撃吸収構造６５が、発光構造４の周囲３個所ないし４個所を支持するコイルばねからなる衝撃吸収ばね６９で構成されている。
【００１７】
後支持構造の衝撃吸収構造６５が、発光構造４の周囲を支持する３個のコイルばねからなる衝撃吸収ばね６９で構成されている。
【００１８】
後支持構造の周囲を囲むケース構造１の内面に、発光構造４を支持するリング状のばね受枠６４が固定されている（図１０参照）。発光構造４と対向するばね受枠６４の３個所以上にばね座７１が形成されて、ばね座７１と発光構造４の間に、圧縮コイルばねからなる衝撃吸収ばね６９が配置されている。
【００１９】
リング状のばね受枠６４が六角リング状に形成されて、ばね座７１が３個のリング枠部に周方向へ均等に隣接する状態で配置されている。
【００２０】
リフレクタ２９は前リフレクタ３７と後リフレクタ３８を接合して構成されている。前リフレクタ３７と後リフレクタ３８は、いずれか一方の接合部に形成した接合溝５２と、他方の接合部に設けられて接合溝５２に嵌合する係合壁５７とを互いに凹凸係合して接合されている（図９参照）。
【００２１】
前リフレクタ３７と後リフレクタ３８のうち、接合溝５２を備えたリフレクタ３８に、接合溝５２の外溝壁を切欠いて凹状係合部５４が形成されており、他方のリフレクタ３７に、前記凹状係合部５４と係合する凸状係合部５１が形成されている（図７参照）。
【００２２】
凹状係合部５４と凸状係合部５１のいずれか一方にねじボス５５が形成されている。凹状係合部５４と凸状係合部５１のいずれか一方に挿通したビス５６を、他方に設けたねじボス５５にねじ込んで、前リフレクタ３７と後リフレクタ３８が分離不能に固定されている。
【００２３】
前リフレクタ３７は、分割形成された複数の分割体３７ａ・３７ｂを接合して構成されている。後リフレクタ３８の接合面には、前リフレクタ３７の開口周縁壁を嵌合支持する接合溝５２と、前リフレクタ３７の開口周縁壁の周面を支持する接合壁５３が形成されている。複数の分割体３７ａ・３７ｂを接合し、前リフレクタ３７の開口周縁壁を接合溝５２および接合壁５３で係合支持した状態において、凸状係合部５１と凹状係合部５４を凹凸係合させて、前リフレクタ３７と後リフレクタ３８とが一体化されている。
【００２４】
リフレクタ２９の照射開口に、光源２８から放射された光のうち可視光の透過を阻むフィルタ３０が配置されている。リフレクタ２９は周方向へ分割形成された複数個の分割体３７ａ・３７ｂを接合して筒状に構成されている。フィルタ３０は、リフレクタ２９の前端内面に形成したフィルタ受座４１と、前リフレクタ３７の前部周面に外嵌固定される押えリング６０で挟持固定されている。本発明において、「可視光の透過を阻むフィルタ」とは、可視光を減衰させた状態で可視光の一部を通過させるフィルタを含む。
【００２５】
リフレクタ２９の後部に光源台４５が設けられている。光源台４５に固定したソケット３４に光源２８のハウジング３２を装着することにより、光源２８が光源台４５で支持されている（図８参照）。
【００２６】
衝撃吸収構造６５が、リフレクタ２９の周囲を支持するコイルばねからなる衝撃吸収ばね６９であり、光源台４５の回りを囲む導風壁４６に、ばね受枠６４と協同して衝撃吸収ばね６９を受止めるばね座７２が形成されている。
【００２７】
吹出口１１に臨む導風路９の内部に、イオン放出構造が設けられている（図３参照）。イオン放出構造は、絶縁材で形成される横長長円状の電極ホルダー９１と、電極ホルダー９１で支持される３個の放電電極９２と、放電電極９２の周囲を囲む横長長円状の筒壁９３と、筒壁９３の周囲に固定される対向電極９４を備えている。
【００２８】
対向電極９４の前縁には、複数の尖端放電部９４ａが形成されている（図５参照）。
【００２９】
吹出口１１と正対する側から見るときのイオン放出構造の放電電極９２が、発光構造４とケース構造１の間に配置されている。イオン放出構造から放出されたマイナスイオンを、送風構造３から送給される乾燥風とともに吹出口１１から送給できる。
【００３０】
イオン放出構造は、発光構造４の光照射領域の外に位置する状態で、発光構造４と吹出口１１の間に配置されている。
【００３１】
ケース構造１の風導筒７は、発光構造４と吹出口１１の間で前すぼまり状に形成されている。
【００３２】
ケース構造１は、内面に導風路９を備えている風導筒７と、風導筒７に外嵌装着される外装筒８で二重筒状に構成されている。吹出口１１に臨む風導筒７の前部に内凹み状のくびれ部３５が形成されていて、吹出口１１を囲むくびれ部３５の内面に吹出グリル２５が配置されている（図３参照）。
【００３３】
風導筒７は２分割された一対の半割体７ａ・７ｂを接合して形成されて、風導筒７に外嵌する外装筒８で一対の半割体７ａ・７ｂが分離不能に保持されている（図６参照）。外装筒８の前端内面に装着したリング状の吹出ケース５の内面に吹出口１１が設けられている。吹出ケース５は、外装筒８の前端内面に張出したケース受座８ａに受止め支持された状態で、風導筒７の前部周面に係合連結されている。風導筒７に係合連結された吹出ケース５をビス１９で外装筒８に締結固定することにより、風導筒７と外装筒８が吹出ケース５を介して分離不能に保持固定されている。
【００３４】
吹出ケース５と風導筒７が吹出口連結構造で着脱可能に係合連結されている。吹出ケース５の前部周縁にケース受座８ａで受止め支持される接当部５ａが形成され、吹出ケース５の後面に複数個の係合脚５ｂが突設されている。吹出口連結構造が、複数の係合脚５ｂと、係合脚５ｂに対応して風導筒７の前部外面に設けた複数の係合壁７ｃで構成されている。接当部５ａがケース受座８ａで受止め支持された状態で、吹出ケース５を回転操作することにより、係合脚５ｂと係合壁７ｃが互いに係合して、外装筒８と吹出ケース５と風導筒７の３者が一体化されている。
【００３５】
吹出口１１に臨む風導筒７の内面に、乾燥風の温度を検知する温度センサー９８が配置されている（図３参照）。
【００３６】
温度センサー９８は、リフレクタ２９の照射開口より前方の風導筒７の内面に配置されている。
【発明の効果】
【００３７】
本発明の光照射装置においては、発光構造４とケース構造１の間に衝撃吸収構造６５を設けたので、ケース構造１に作用する外部衝撃が発光構造４に伝わることを当該衝撃吸収構造６５で緩和吸収して、発光構造４に外部衝撃が作用することを確実に防止できる。従って、光照射装置に落下衝撃や衝突衝撃などの外部衝撃が作用するような場合でも、発光構造４が破損することを防いで、光照射装置の耐久性の向上を図ることができる。
【００３８】
発光構造４とケース構造１の間に設けた衝撃吸収構造６５が金属製のばね体６９を衝撃吸収要素にして構成されていると、発光構造４から照射される光による加熱作用に加えて、送風構造３から送給される乾燥風が、発光構造４からの熱伝導で加熱された衝撃吸収構造６５と接触することによっても、乾燥風を温風化して吹出口１１から送出させることができる。これにより、発光構造４から照射される光による加熱作用と、衝撃吸収構造６５の熱で温風化された乾燥風による加熱作用とが発揮されるので、乾燥風の加熱効率に優れた光照射装置を得ることができる。
【００３９】
光源２８とリフレクタ２９を備えている発光構造４は、発光構造４の前部および後部を前支持構造と後支持構造で支持するようにする。また、前支持構造と後支持構造のうち、少なくとも後支持構造が衝撃吸収構造６５を備えるようにする。こうした衝撃吸収構造６５によれば、発光構造４の前部とケース構造１の位置関係を固定した状態のままで、発光構造４の後部の揺れ動きを衝撃吸収構造６５で緩和吸収することができる。このとき、前支持構造で支持した発光構造前部の径方向変位量が、後支持構造で支持した発光構造後部の径方向変位量より小さくなるように構成されていると、外部衝撃が発光構造４の光源２８に伝わることを衝撃吸収構造６５で緩和吸収しながら、光源２８から照射される光の照射中心軸が大きくぶれることを防ぐことができるので、吹出口１１の周辺の構造体が光源２８から照射される光を受けて無駄に加熱されることを防ぐことができる。
【００４０】
前支持構造および後支持構造の両者が、衝撃吸収構造６５・６５で構成されていると、ケース構造１に作用する外部衝撃を、発光構造４の前部と後部を支持する衝撃吸収構造６５・６５によって、協同して緩和吸収することができる。従って、発光構造４の前部、または後部のみが衝撃吸収構造６５で支持されている構成に比べて、外部衝撃をより効果的に緩和し吸収することができるので、発光構造４が破損することをより確実に防ぐことができる。
【００４１】
発光構造４が外部衝撃を受ける状態において、後支持構造である衝撃吸収構造６５の変位量が、前支持構造である衝撃吸収構造６５の変位量より大きくなるように構成されていると、ケース構造１に作用する外部衝撃を、発光構造４の前部と後部を支持する衝撃吸収構造６５・６５によって、協同して効果的に緩和吸収しながら、光源２８から照射される光の照射中心軸が大きくぶれるのを、さらに確実に防ぐことができる。従って、吹出口１１の周辺の構造体が光源２８から照射される光を受けて無駄に加熱されることを、より確実に防ぐことができる。
【００４２】
前支持構造の衝撃吸収構造６５が粘弾性体６７を衝撃吸収要素にして構成され、後支持構造の衝撃吸収構造６５が金属製のばね体６９を衝撃吸収要素にして構成されていると、発光構造４の後部に比べて、径方向寸法が大きな発光構造４の前部を、弾性変形量が小さな粘弾性体６７で支持し、発光構造４の前部に比べて、径方向寸法が小さな発光構造４の後部を、弾性変形量が大きな金属製のばね体６９で支持して、外部衝撃を粘弾性体６７とばね体６９とで緩和吸収することが可能となる。これにより、発光構造４の前部の径方向寸法を基準にしてケース構造１を構成することができるので、ケース構造１が肥大化するのを抑えながら、優れた外部衝撃の緩和吸収機能を備えた光照射装置を実現することができる。なお、発光構造４の後部の径方向寸法に比べて、発光構造４の前部の径方向寸法が大きくなるのは、発光構造４が備えるリフレクタ２９の形状に起因している。
【００４３】
発光構造４と粘弾性体６７とが、発光構造４の径方向に凹凸係合する状態で接合されていると、発光構造４の径方向移動と前後方向の移動を粘弾性体６７で緩和吸収することができるので、発光構造４の光源２８が外部衝撃を受けて揺れ動くのを速やかに収斂させることができる。
【００４４】
前支持構造の衝撃吸収構造６５と、後支持構造の衝撃吸収構造６５とが、それぞれ金属製のばね体６９を衝撃吸収要素にして構成され、前支持構造のばね体６９のばね定数が、後支持構造のばね体６９のばね定数より大きくなるように設定されていると、前支持構造のばね体６９と後支持構造のばね体６９に外部衝撃が作用するとき、前支持構造のばね体６９の変位量を、後支持構造のばね体６９の変位量より小さくすることができる。これによれば、ケース構造１に作用する外部衝撃を、発光構造４の前部と後部を支持する前後のばね体６９・６９で協同して効果的に緩和吸収しながら、光源２８から照射される光の照射中心軸が大きくぶれるのを防止することができるので、吹出口１１の周辺の構造体が光源２８から照射される光を受けて無駄に加熱されるのをさらに確実に防止できる。
【００４５】
後支持構造の衝撃吸収構造が、発光構造４の周囲３個所ないし４個所を支持するコイルばねからなる衝撃吸収ばね６９で構成されていると、発光構造４をケース構造１の中央付近の所定位置に位置保持した状態で浮動支持することができる。また、衝撃吸収ばね６９が外部衝撃を受けて伸縮変形する場合に、各衝撃吸収ばね６９を速やかに収斂させて、発光構造４を安定した状態で支持することができる。因みに、発光構造４の周囲２個所が一対のコイルばねで支持されている場合には、発光構造４がばね中心線と交差する向きに揺れ動くため、発光構造４を安定させるのに余分な時間が掛かってしまう。
【００４６】
発光構造４は、その周囲が３個のコイルばねからなる衝撃吸収ばね６９で支持されていると、発光構造４をケース構造１の中央付近の所定位置に位置保持した状態で浮動支持しながら、後支持構造の衝撃吸収ばね６９の使用個数を３個に限ることができ、その分だけ部品点数を減らすことができる。また、送風構造３を備えている光照射装置の場合には、部品点数が少ない分だけ乾燥風の流れが衝撃吸収ばね６９で乱されるのを極力避けて、乾燥風の送風効率を向上できる。
【００４７】
ケース構造１の内面にリング状のばね受枠６４を固定し、発光構造４と対向するばね受枠６４の３個所以上にばね座７１を形成して、ばね座７１と発光構造４の間に、衝撃吸収ばね６９が配置されていると、ケース構造１の内面に固定したばね受枠６４に発光構造４の発光構造４を仮組した状態で、３個の衝撃吸収ばね６９を、ばね受枠６４のばね座７１と発光構造４の間に順に組付ければよく、後支持構造をより少ない手間で的確に組むことができる。
【００４８】
六角リング状に形成したばね受枠６４の３個のリング枠部に、ばね座７１を周方向へ均等に隣接する状態で配置されていると、直線状のリング枠部にばね座７１を形成すればよいので、例えばばね受枠６４が円形リング状に形成してある場合に比べて、ばね座７１を容易に形成できるうえ、衝撃吸収ばね６９をばね座７１で安定した状態で支持できる。また、ばね受枠６４とケース構造１の内面の間に空間が形成されるので、ばね受枠６４の内外両面から放熱でき、さらに衝撃吸収ばね６９からも放熱できるので、放熱効果の向上も期待できる。とくに、ケース構造１の内部に送風構造３が設けられた光照射装置の場合には、ばね受枠６４と乾燥風の接触面積が大きい分だけ熱交換を促進して、乾燥風を効果的に温風化することができる。
【００４９】
前リフレクタ３７と後リフレクタ３８で構成されるリフレクタ２９において、前後のリフレクタ３７・３８のいずれか一方の接合部に形成した接合溝５２に、他方の接合部に設けた係合壁５７を互いに凹凸係合して、前後のリフレクタ３７・３８を接合すると、係合壁５７と接合溝５２の係合により、後リフレクタ３８に対する前リフレクタ３７の径方向のずれ動きが阻止された状態で両リフレクタ３７・３８を適正に接合することができる。
【００５０】
接合溝５２を備えた一方のリフレクタ３８に凹状係合部５４を形成し、他方のリフレクタ３７に、前記凹状係合部５４と係合する凸状係合部５１を形成すると、凸状係合部５１と凹状係合部５４の係合により、一方のリフレクタ３８に対する他方のリフレクタ３７の中心軸Ｐ回りの回動が阻止された状態で両リフレクタ３７・３８を適正に接合することができる。
【００５１】
凹状係合部５４と凸状係合部５１のいずれか一方にねじボス５５を形成し、凹状係合部５４と凸状係合部５１のいずれか一方に挿通したビス５６をねじボス５５にねじ込んで、前リフレクタ３７と後リフレクタ３８を分離不能に固定すると、より簡単な締結構造でありながら、前リフレクタ３７と後リフレクタ３８をビス５６で強固に締結固定して、リフレクタ２９に設けた反射面３９・４０・４３の光学特性を常に一定にできる。
【００５２】
前リフレクタ３７は、複数の分割体３７ａ・３７ｂを接合して構成し、後リフレクタ３８の前リフレクタ３７との接合面に、接合溝５２と接合壁５３を形成する。また、複数の分割体３７ａ・３７ｂを接合し、前リフレクタ３７の開口周縁壁を接合溝５２および接合壁５３で係合支持し、さらに、凸状係合部５１と凹状係合部５４を凹凸係合させて、前リフレクタ３７と後リフレクタ３８を一体化する。こうしたリフレクタ２９によれば、分割体３７ａ・３７ｂを接合し、凸状係合部５１と凹状係合部５４を凹凸係合させた状態で、ビス５６をねじボス５５にねじ込むことにより、前リフレクタ３７と後リフレクタ３８を強固に締結固定できる。また、前リフレクタ３７と後リフレクタ３８の形状や構造が様々に変更される場合であっても、分割体３７ａ・３７ｂと後リフレクタ３８とを互いに位置決めした状態で適正に一体化できる。
【００５３】
前リフレクタ３７の照射開口に、光源２８から放射された光のうち可視光の透過を阻むフィルタ３０が配置されている光照射装置において、前リフレクタ３７を複数個の分割体３７ａ・３７ｂで構成する。また、前リフレクタ３７の前端内面に形成したフィルタ受座４１と、前リフレクタ３７の前部周面に外嵌固定される押えリング６０で、フィルタ３０を挟持固定する。こうした光照射装置によれば、フィルタ３０をフィルタ受座４１に組んで、その周面を分割体３７ａ・３７ｂで挟持した状態で、押えリング６０を前リフレクタ３７の前部周面に外嵌し固定することにより、フィルタ３０を前リフレクタ３７に対して簡単に組付けて、分離不能にしっかりと固定することができる。
【００５４】
リフレクタ２９の後部の光源台４５にソケット３４を固定し、ソケット３４に光源２８のハウジング３２を装着して、光源２８を光源台４５で支持すると、ソケット３４を光源台４５から取外すことにより、光源２８およびソケット３４をリフレクタ２９から分離することができる。また、プラグ３３をソケット３４から抜外すことにより、光源２８をソケット３４から分離することができる。以上より、光源２８が故障した場合の交換作業を容易に行うことができる。さらに、光源２８をリフレクタ２９の後部に設けた光源台４５で安定して支持することができるので、光源２８とリフレクタ２９の位置関係を常に一定にして、光源２８から放射された光をフィルタ３０に向かって効率良く反射案内させることができる。
【００５５】
光源台４５の回りを囲む導風壁４６に、衝撃吸収ばね６９用のばね座７２が形成されていると、衝撃吸収ばね６９のばね力を導風壁４６で受け止めて、リフレクタ２９にばね力が作用するのを防止でき、リフレクタ２９による光の反射案内を常に好適に行うことができる。
【００５６】
吹出口１１に臨む導風路９の内部にイオン放出構造が設けられていると、発光構造４から照射される赤外光と、イオン放出構造から放出されるマイナスイオンとを乾燥風とともに髪へ送給することができる。従って、髪の乾燥を行いながら、マイナスイオンと結合した空気中の水分を髪に付着させて、髪が不必要に乾燥するのを防止できる。また、電極ホルダー９１で支持される３個の放電電極９２と、横長長円状の筒壁９３の周囲に固定される対向電極９４とを備えたイオン放出構造が設けられていると、３個の放電電極９２と対向電極９４の間で活発にコロナ放電を生じさせて、より大量のマイナスイオンを乾燥風中に放出させることができる。
【００５７】
対向電極９４の前縁に複数の尖端放電部９４ａが形成されていると、対向電極９４と放電電極９２の間のコロナ放電をさらに活発化して、マイナスイオンを安定した状態で効果的に生成することができる。
【００５８】
吹出口１１と正対する側から見て、放電電極９２が発光構造４とケース構造１の間に配置されていると、イオン放出構造で生成されたマイナスイオンを、発光構造４とケース構造１の間の導風路９に放出することができるので、マイナスイオンを送風構造３から送給される乾燥風とともに吹出口１１から遠くまで送給することができる。
【００５９】
イオン放出構造が、発光構造４の光照射領域の外に位置する状態で、発光構造４と吹出口１１の間に配置されていると、イオン放出構造で生成されたマイナスイオンを、発光構造４と吹出口１１の間の自由空間に放出して乾燥風とともに吹出口１１から送給できる。また、発光構造４の照射領域の外で、発光構造４と吹出口１１の間にイオン放出構造を配置することができるので、発光構造４から放射された光がイオン放出構造で遮られるのを防ぎながら、発光構造４と吹出口１１の間のスペースを利用してイオン放出構造を配置することができる。従って、イオン放出構造を設けることでケース構造１の径方向寸法が大きくなるのを避けて、ケース構造１をコンパクト化できる。
【００６０】
風導筒７が、発光構造４と吹出口１１の間で前すぼまり状に形成されていると、吹出口１１に向かって送給される乾燥風の流速を増強して、乾燥風中に放出されたマイナスイオンを乾燥風とともに、吹出口１１からさらに遠くまで送給することができる。
【００６１】
ケース構造１は、風導筒７と、風導筒７に外嵌装着される外装筒８とで二重筒状に構成する。また、吹出口１１に臨む風導筒７の前部に、内凹み状のくびれ部３５を形成して、くびれ部３５の内面に吹出グリル２５を配置する。こうした光照射装置によれば、二重筒状の風導筒７と外装筒８でケース構造１の構造強度を増強して、衝撃吸収機能を向上することができる。また、二重筒状の風導筒７と外装筒８によって、ケース構造１全体の断熱機能を向上できるうえ、風導筒７の前部に形成したくびれ部３５の周囲の空気層によって断熱効果を増強できるので、高温になっている吹出グリル２５周辺のケース壁の熱が外装筒８に伝導するのをさらに確実に防止して、吹出口１１の近傍のケース壁が高温になるのを解消できる。
【００６２】
２分割された一対の半割体７ａ・７ｂで風導筒７を構成し、外装筒８を風導筒７に外嵌することにより、一対の半割体７ａ・７ｂを分離不能に保持できるようにする。また、外装筒８の前端内面に装着した吹出ケース５で、風導筒７と外装筒８を係合連結し、吹出ケース５をビス１９で外装筒８に締結固定するようにする。こうしたケース構造によれば、二重筒状の風導筒７と外装筒８を吹出ケース５で分離不能に保持固定して、基本的な構造体である風導筒７や外装筒８が遊動し、あるいはがたつくのを確実に防止できる。
【００６３】
吹出ケース５と風導筒７とを、吹出口連結構造で着脱可能に係合連結する。また吹出口連結構造は、吹出ケース５の後面に形成した複数個の係合脚５ｂと、風導筒７の前部外面に設けた複数の係合壁７ｃで構成し、吹出ケース５を回転操作することにより、係合脚５ｂと係合壁７ｃが互いに係合して、外装筒８と吹出ケース５と風導筒７の３者を一体化できるようにする。こうしたケース構造によれば、ビス１９を外装筒８から分離し、吹出ケース５を取外す向きに回転操作するだけで、外装筒８を風導筒７から分離し、さらに半割体７ａ・７ｂの一方を取外すことで、ケース構造１に収容された発光構造４や送風構造３などを露出させることができる。従って、光源２８を交換し、あるいは送風構造３のメンテナンスを行うような場合に、ケース構造をより少ない手間で簡単に分解してメンテナンス作業に要する手間を省くことができる。
【００６４】
吹出口１１に臨む風導筒７の内面に温度センサー９８を配置して、吹出口１１に向かって送給される乾燥風の温度を温度センサー９８で検知できるようにする。こうした光照射装置によれば、例えば吹出口１１がタオルで塞がれてしまった場合や、送風構造３の駆動源が過熱状態に陥った場合などに、乾燥風の温度が異常状態に陥ったことを温度センサー９８が検知することができる。また、当該温度センサー９８からの検出信号に基づいて、光照射装置および送風構造３の駆動源の作動を直ちに停止させることができる。
【００６５】
常態における温度センサー９８は、導風路９に沿って送給される乾燥風に晒されて、比較的低い温度状態に保持されており、例えば吹出口１１がタオルで塞がれてしまったような異常時には、吹出口１１の内部の温度が急に上昇することとなる。従って、リフレクタ２９の照射開口より前方の風導筒７の内面に温度センサー９８が配置されていると、温度異常の検知を適確に行うことができる。
【図面の簡単な説明】
【００６６】
【図１】本発明の実施例１に係る光照射装置の要部の縦断側面図である。
【図２】実施例１に係る光照射装置の縦断側面図である。
【図３】実施例１に係る光照射装置の発光構造を示す縦断側面図である。
【図４】実施例１に係る光照射装置の発光構造を示す横断平面図である。
【図５】実施例１に係る光照射装置のケース構造を示す分解側面図である。
【図６】実施例１に係る光照射装置のケース構造を示す分解斜視図である。
【図７】実施例１に係る光照射装置のリフレクタを示す分解斜視図である。
【図８】実施例１に係る光照射装置の発光構造を示す分解断面図である。
【図９】実施例１に係る光照射装置の防眩構造を示す断面図である。
【図１０】図３におけるＡ−Ａ線断面図である。
【図１１】図３におけるＣ−Ｃ線断面図である。
【図１２】図３におけるＢ−Ｂ線断面図である。
【図１３】実施例２に係る光照射装置の概略縦断側面図である。
【図１４】実施例３に係る光照射装置の概略縦断側面図である。
【図１５】実施例４に係る光照射装置の概略縦断側面図である。
【図１６】実施例５に係る光照射装置の概略縦断側面図である。
【図１７】実施例６に係る光照射装置の概略縦断側面図である。
【図１８】実施例７に係る光照射装置の概略縦断側面図である。
【図１９】実施例８に係る光照射装置の概略縦断側面図である。
【図２０】実施例９に係る光照射装置の概略縦断正面図である。
【図２１】実施例１０に係る光照射装置の概略縦断正面図である。
【図２２】図２１におけるＤ−Ｄ線断面図である。
【図２３】実施例１１に係る光照射装置の概略縦断正面図である。
【図２４】実施例１２に係る光照射装置の概略縦断正面図である。
【図２５】実施例１３に係る光照射装置の概略縦断側面図である。
【図２６】実施例１４に係る光照射装置の概略縦断側面図である。
【図２７】実施例１５に係る光照射装置の概略縦断側面図である。
【図２８】実施例１６に係る光照射装置の概略縦断側面図である。
【発明を実施するための形態】
【００６７】
（実施例１）  図１ないし図１２に、本発明に係る光照射装置をヘアードライヤー（以下、単にドライヤーと言う）に適用した実施例１を示す。本実施例における前後、左右、上下とは、図２、および図６に示す交差矢印と、各矢印の近傍に表記した前後、左右、上下の表示に従う。図２および図３においてドライヤーは、中空筒状の本体ケース（ケース構造）１の内部に、ファンモータ（駆動源）２で回転駆動される軸流型の送風ファン（送風構造）３と、加熱源となる光源ユニット（発光構造）４などを収容して構成される。本体ケース１は、左右に分割された一対の半割体７ａ・７ｂを接合して形成される風導筒７と、風導筒７に外嵌装着される外装筒８とを備える。風導筒７の内面は、送風ファン３から送給される乾燥風の導風路９とされており、導風路９の後端に空気の吸込口１０が設けられ、前端に空気の吹出口１１が設けられている。風導筒７の後部下面には、グリップ１２が一体に形成されており、その内部にメインスイッチ１３と、消灯スイッチ１４と、トランス１５などが配置されている。符号１６はメインスイッチ１３を切換えるスライドノブ、符号１７は消灯スイッチ１４を切換える押ボタンである。上記のように実施例１では、風導筒７の内部が導風路９になっているが、風導筒７を備えていない場合には、外装筒８の内部が導風路９となる。また、風導筒７の内面、または外装筒８の内面に、断熱用のマイカや金属製の筒体が設けてあってもよい。
【００６８】
送風ファン３は本体ケース１の後半部に配置されており、風導筒７に固定したファンケース２０のホルダー部２１にファンモータ２が固定されており、吸込口１０から吸い込んだ空気を送風ファン３で加圧して吹出口１１へ向かって送給する。ファンケース２０とホルダー部２１の間には、複数個の整流翼２６が形成されている。ホルダー部２１の前面には、ファンモータ２や後述するハロゲンランプ（光源）２８、およびイオン放出構造の駆動状態を制御する制御基板２２などが固定されている。先のメインスイッチ１３がオフ位置から弱運転位置に切換えられると、制御部はハロゲンランプ２８を低輝度状態で点灯し、送風ファン３を低速で駆動する。メインスイッチ１３が弱運転位置から強運転位置に切換えられると、制御部はハロゲンランプ２８を高輝度状態で点灯し、送風ファン３を高速で駆動する。後述するイオン放出構造は、弱運転位置、および強運転位置のいずれの場合にも作動してマイナスイオンを放出する。ハロゲンランプ２８が点灯している状態で、消灯スイッチ１４がオン操作されると、制御部はハロゲンランプ２８を一時的に消灯させる。
【００６９】
吸込口１０の外面は、パンチングメタル製の第１グリル２３と、多重リング状の第２グリル２４で覆われている。また、吹出口１１の内面は吹出グリル（第３グリル）２５で覆われている。第２グリル２４と吹出グリル２５とは、半割体７ａ・７ｂで挟持固定されており、第１グリル２３は風導筒７の後部に着脱可能に装着されている。風導筒７は、前すぼまり状に形成されており、光源ユニット４と吹出口１１の間に配置されている。
【００７０】
図３および図４に示すように吹出口１１は、外装筒８の前端内面に装着したポリカーボネイト製の吹出ケース５と、吹出ケース５の内面に固定したＰＰＳ樹脂製の補助吹出ケース６で形成されている。吹出ケース５は、前拡がりテーパ状のリング体からなり、その前開口の周縁に部分筒状の接当部５ａが形成され、リング壁の後面の４個所に係合脚５ｂが後向きに突設されている。各係合脚５ｂには係合溝５ｃが形成されている。外装筒８の前部内面には、接当部５ａを受止めるケース受座８ａがＣ字状に張出し形成されている（図６参照）。また、風導筒７の前部外面の周方向４個所には、係合溝５ｃと係合する係合壁７ｃが形成されている（図５参照）。吹出口１１に臨む風導筒７の前部には、前すぼまり状の風導筒７の筒壁と吹出ケース５とによって、内凹み状のくびれ部３５が形成されており、くびれ部３５の内面に吹出グリル２５が配置されている。
【００７１】
吹出ケース５を外装筒８の前方から組み付けて、接当部５ａがケース受座８ａで受止め支持された状態で、吹出ケース５を回転操作することにより、係合脚５ｂの係合溝５ｃと係合壁７ｃとが互いに係合して、外装筒８と吹出ケース５と風導筒７の３者を一体化している。上記のように吹出ケース５は、４個の係合脚５ｂと、係合脚５ｂに対応して風導筒７の前部外面に設けた４個の係合壁７ｃとで構成される吹出口連結構造によって風導筒７にバヨネット連結されており、吹出ケース５の下端を外装筒８の周面側からねじ込んだビス１９（図３参照）で締結することにより、外装筒８と一体化されている。
【００７２】
補助吹出ケース６は花弁状のリング体からなり、赤外光および乾燥風の通過を許す円形の通口９６を備えており、通口９６の下側に乾燥風の一部とマイナスイオンの通過を許すイオン通口９７が横長長円状に形成されている。通口９６の直径は、後述する照射開口の直径より僅かに大きく設定されている。以上のように構成した吹出口１１は、乾燥風の吹出口として機能する以外に、ハロゲンランプ２８から放射される赤外光（赤外線（熱線））をユーザーの毛髪へ向けて照射する照射口を兼ねている。
【００７３】
図３および図４において光源ユニット４は、ハロゲンランプ２８と、リフレクタ２９と、リフレクタ２９の前面の照射開口に装着されるフィルタ３０を備えた１個のユニット部品からなる。ハロゲンランプ２８は、発光部（フィラメント）３６と不活性ガス及びハロゲンガスなどを封入した前後に長いバルブ３１とハウジング３２を備えており、ハウジング３２のプラグ３３をソケット３４に差込み装着することにより、ソケット３４で固定支持されている。ソケット３４は後述する光源台４５に締結固定されている。ハロゲンランプ２８を点灯すると、バルブ３１の発光部３６から可視光と赤外光が放射される。フィルタ３０は、赤外光は透過するが可視光の透過を阻むように構成されており、これにより、ユーザーはハロゲンランプ２８の眩しさを感じることはない。なお、可視光の透過を阻むとは、完全に可視光を遮ることを意味するものではなく、可視光を減衰することを含む概念である。もちろん、可視光を完全に遮って赤外光のみが透過可能なものも含む。
【００７４】
リフレクタ２９は、前リフレクタ３７と後リフレクタ３８を接合して構成されている。図７に示すように前リフレクタ３７は、左右に分割形成された一対の分割体３７ａ・３７ｂを接合して構成されている。これら分割体３７ａ・３７ｂはアルミニウムなどの金属製のプレス成形品からなり、その内面には反射面が形成されている。反射面は、研磨加工や鏡面仕上げ加工などで形成することができ、必要があればメッキ処理を施すことができる。
【００７５】
前リフレクタ３７の内面には、ハロゲンランプ２８から照射された光をフィルタ３０へ向かって前向きに反射案内する第１反射面３９と、ハロゲンランプ２８から照射された光を、第３反射面４３へ向かって後向きに反射案内する第２反射面４０とが設けられている。第２反射面４０は第１反射面３９に隣接する状態で形成されている。分割体３７ａ・３７ｂの前端内面にはフィルタ受座４１が形成されており、フィルタ受座４１の後周面には第２通気口４２が２個ずつ形成されている。第２通気口４２は、分割体３７ａ・３７ｂを接合した状態において、前リフレクタ３７の前端寄りの壁面に、スリット状の開口として全周にわたって形成されている。前リフレクタ３７は、１個の反射筒で構成してあってもよい。その場合にはアルミニウムなどの金属を素材とするダイキャスト成形品で構成することができる。
【００７６】
後リフレクタ３８は、アルミニウムなどの金属を素材とするダイキャスト成形品からなり、その前面にハロゲンランプ２８から照射された光および第２反射面４０で反射案内された光を、フィルタ３０へ向かって前向きに反射案内する凹面鏡状の第３反射面４３が設けられている。反射面は研磨加工や、鏡面仕上げ加工などで形成することができ、必要があればメッキ処理を施して形成することができる。第３反射面４３の後側には、ハロゲンランプ２８を支持する光源支持構造が設けられている。
【００７７】
光源支持構造は、ハロゲンランプ２８を支持する４個のボスからなる光源台４５と、光源台４５の周囲を囲む、六角筒状の導風壁４６とを備えており、先に説明したソケット３４が各光源台４５に４個のビス４７により配線基板４９とともに締結固定されている。第３反射面４３の中央には、乾燥風をリフレクタ２９の内部に導入するための第１通気口４８が形成されている。配線基板４９は、ハロゲンランプ２８に電力を供給するリード線や、ファンモータ２に電力を供給するリード線などを、いったんまとめて振り分けるために設けられている。導風壁４６とハロゲンランプ２８の間は光源冷却通路とされており、第１通気口４８に連通している。光源台４５に固定した配線基板４９は、第１通気口４８から漏れ出た光が吸込口１０側へ放射されるのを阻止するための遮光板を兼ねている。
【００７８】
第１反射面３９と、第２反射面４０と、第３反射面４３はそれぞれ以下のように構成されている。第１反射面３９は、楕円状の曲面で形成されている。また、第２反射面４０はハロゲンランプ２８の発光部３６を中心にした円弧面で形成されている。さらに、第３反射面４３は、楕円状の曲面、または放物線状の曲面で形成されている。このように、第２反射面４０がハロゲンランプ２８の発光部３６を中心にした円弧面で形成されていると、ハロゲンランプ２８から照射されて、第２反射面４０で反射されて第３反射面４３に向かう光の軌跡と、ハロゲンランプ２８から第３反射面４３に向かって直接照射される光の軌跡とを一致させることができる。本実施例においては、第１反射面３９で反射案内されてフィルタ３０へ向かう光と、第３反射面４３で反射案内されてフィルタ３０へ向かう光とは、発光部３６から約３０ｃｍ前方の本体ケース１の外部で集光される。
【００７９】
上記のように、３個の反射面３９・４０・４３を備えたリフレクタ２９によれば、ハロゲンランプ２８から照射されて各反射面３９・４０・４３に到達した光を、各反射面３９・４０・４３で効率良く反射案内してフィルタ３０に向って照射させることができる。また、前後に長いハロゲンランプ２８の発光部（フィラメント）３６の軸方向の中心を、第２反射面４０と第３反射面４３の隣接部分に臨ませたので、リフレクタ２９の径方向寸法が大きくなるのを防止してコンパクト化を実現しながら、ハロゲンランプ２８から放射された光をフィルタ３０に向かって照射させることができる。これは、ハロゲンランプ２８から照射された光を、例えば１個の反射面のみで反射案内する場合には、リフレクタ２９の照射開口の直径寸法が大きくなってしまい、その分だけリフレクタ２９が大形になるからである。発光部３６は、その発光中心が第２反射面４０と第３反射面４３の隣接部分に一致する状態で配置させる必要はなく、軸方向に長い発光部３６の一部が、第２反射面４０と第３反射面４３の隣接部分にオーバーラップしていればよい。さらに、第１反射面３９と、第２反射面４０と、第３反射面４３を備えたリフレクタ２９の前後寸法を、リフレクタ２９の径方向寸法より大きく設定したので、前後に長いハロゲンランプ２８を使用するのに適した細長い筒構造のリフレクタ２９を構成することができ、リフレクタ２９の径方向寸法が小さい分だけドライヤーをコンパクト化することができる。
【００８０】
上記の光源支持構造によれば、導風壁４６とハロゲンランプ２８の間の光源冷却通路が第１通気口４８と連通されるので、導風壁４６の後端開口から導入した乾燥風を、第１通気口４８からリフレクタ２９の内部へ流動させ、リフレクタ２９の内部を換気することができる。また、このとき第１通気口４８からリフレクタ２９の内部へ流動させた乾燥風を、ハロゲンランプ２８およびリフレクタ２９に接触させることで、これらハロゲンランプ２８およびリフレクタ２９を効果的に冷却して、ハロゲンランプ２８およびリフレクタ２９の温度上昇を抑制することができる。また、ビス４７を緩めてソケット３４を光源台４５から取外すことにより、ハロゲンランプ２８およびソケット３４をリフレクタ２９から簡単に分離することができ、また、プラグ３３をソケット３４から抜外すことにより、ハロゲンランプ２８をソケット３４から分離できるので、ハロゲンランプ２８が故障した場合の交換作業を容易に行うことができる。
【００８１】
前リフレクタ３７と後リフレクタ３８は、第２反射面４０と第３反射面４３とが隣接する状態で接合されて締結固定されている。両リフレクタ３７・３８を締結固定するために、分割体３７ａ・３７ｂの後縁に位置する係合壁５７に前係合部（凸状係合部）５１が折曲げられた状態で径方向へ突出形成されている。また、後リフレクタ３８の前端に、前リフレクタ３７の係合壁５７を嵌合支持する接合溝５２と、前リフレクタ３７の係合壁５７の周面を支持する接合壁５３が形成されており、さらに接合壁５３の対向２個所には、接合壁５３を切欠いて形成される後係合部（凹状係合部）５４とねじボス５５とが形成されている。
【００８２】
一対の分割体３７ａ・３７ｂを接合し、前係合部５１と後係合部５４とを凹凸係合させることにより、前リフレクタ３７と後リフレクタ３８とを接合することができる。また、前係合部５１の貫通孔５１ａに挿通したビス５６をねじボス５５にねじ込むことにより、前リフレクタ３７と後リフレクタ３８とを一体化できる。上記のように、前リフレクタ３７と後リフレクタ３８とは、前リフレクタ３７の係合壁５７と接合溝５２の係合により、径方向のずれ動きが阻止されており、さらに、前係合部５１と後係合部５４の係合により、中心軸Ｐ回りの回動が阻止されている。さらに、前係合部５１に挿通したビス５６をねじボス５５にねじ込むだけで、前リフレクタ３７と後リフレクタ３８を一体化できるので、前後のリフレクタ３７・３８をより簡単な締結構造で強固に固定することができる。従って、リフレクタ２９に設けた反射面３９・４０・４３の光学特性を常に一定にすることができる。なお、前係合部５１、後係合部５４、ビス５６は、対向２個所にある必要はなく、１個所のみで構成することができる。前リフレクタ３７は、３以上の分割体を接合して構成してもよい。
【００８３】
フィルタ３０は低膨張性ガラスで形成されており、フィルタ支持構造で前リフレクタ３７の照射開口に固定されている。フィルタ支持構造は、前リフレクタ３７に形成したフィルタ受座４１と、フィルタ受座４１と協同してフィルタ３０を前後に挟持固定する押えリング６０とからなる。押えリング６０は、フィルタ３０の前周縁を押え保持する端壁６１と、フィルタ受座４１の外周面に外嵌するリング状の周回壁６２とを備えており、この周回壁６２が後述する防眩壁７５として機能する。図４に示すように、押えリング６０はビス６３で前リフレクタ３７に固定されている。フィルタ受座４１はフィルタ３０の周面および後周縁に密着されており、フィルタ３０の熱を前リフレクタ３７側へ効果的に伝導させて、フィルタ３０の冷却を促進し常に適温状態に維持することができる。
【００８４】
上記のように、フィルタ支持構造は、前リフレクタ３７に形成したフィルタ受座４１と、同受座４１と協同してフィルタ３０を挟持固定する押えリング６０を備える。こうしたフィルタ支持構造によれば、フィルタ３０をフィルタ受座４１に組み、押えリング６０を前リフレクタ３７の前部周面に外嵌し固定することで、フィルタ３０を前リフレクタ３７に簡単に組んで、分離不能にしっかりと固定することができる。
【００８５】
ハロゲンランプ２８は衝撃に弱く、大きな外力が作用するとフィラメントが揺れ動いて
ショートし断線するおそれがある。ハロゲンランプ２８に外部衝撃が作用するのを防ぐために、光源ユニット４は本体ケース１に対して浮動支持されている。詳しくは図４に示すように、光源ユニット４は、光源ユニット４の前部と風導筒７の間に設けた前支持構造と、光源ユニット４の後部と風導筒７の間に設けた後支持構造とで支持されている。
【００８６】
図１および図１０に示すように後支持構造は、光源支持構造の周囲を囲む風導筒７の内面に、光源ユニット４を支持するリング状のばね受枠６４を固定し、後リフレクタ３８とばね受枠６４の対向面の３個所に、光源ユニット４を支持する圧縮コイルばねからなる衝撃吸収ばね（ばね体）６９を配置している。前支持構造は、図１および図１１に示すように、フィルタ３０の周囲を囲む風導筒７の内面に、光源ユニット４を支持する六角リング状のユニット支持枠６６を固定し、後述する防眩壁７５とユニット支持枠６６の対向面の３個所に、光源ユニット４を支持するゲル状の粘弾性体６７を配置している。このように本実施例１では、前支持構造の衝撃吸収構造６５は、粘弾性体６７を衝撃吸収要素にして構成されており、後支持構造の衝撃吸収構造６５は、金属製の衝撃吸収ばね６９を衝撃吸収要素にして構成されている。粘弾性体６７は、低反発性の高分子ゲル、ゴム、熱可塑性エラストマーなどで形成することができる。
【００８７】
後支持構造のばね受枠６４は、金属製の板ばねで形成した３個のばね腕７０を六角枠状に連結して構成されており、各ばね腕７０の中央には、衝撃吸収ばね６９の一端を受止めるばね座７１が形成されている。ばね座７１と対向する後リフレクタ３８の導風壁４６にも衝撃吸収ばね６９の他端を受止めるばね座７２が形成されている。衝撃吸収ばね６９は金属線材で形成した円錐コイルばね（ばね体）からなり、その大径部がばね座７２で支持され、小径部がばね座７１で支持されている。前支持構造のユニット支持枠６６は、板ばねで六角枠状に形成されており、その３個所に粘弾性体６７を保持するゲル保持部７３が形成されている。ゲル保持部７３は側面視において断面角樋状に形成されており、粘弾性体６７は、角樋断面を備えるゲル保持部７３の前後端にわたってその内面側に固定されている。これらユニット支持枠６６および粘弾性体６７は、各粘弾性体６７の内面が押えリング６０の外周面に密着する状態で光源ユニット４の前部に装着されており、このとき粘弾性体６７の前後端は、押えリング６０の前後縁に被さっている（図１参照）。これにより、押えリング６０（光源ユニット４）と粘弾性体６７とは、光源ユニット４の径方向に凹凸係している。ばね受枠６４およびユニット支持枠６６は板ばね材で形成してあるので、本体ケース１に外部衝撃が作用する場合には、それぞれ厚み方向へ弾性変形して衝撃を吸収することができる。従って、ばね受枠６４と衝撃吸収ばね６９、およびユニット支持枠６６と粘弾性体６７が、それぞれ協働して外部衝撃を効果的に緩和し吸収できる。なお、ばね受枠６４とユニット支持枠６６は剛体であってもよいが、その場合には、衝撃吸収ばね６９および粘弾性体６７のみで外部衝撃を緩和吸収するとよい。
【００８８】
使用時には、ハロゲンランプ２８を点灯し、送風ファン３を駆動して、フィルタ３０を通過した赤外光を髪に照射し、さらに、送風ファン３から送給された乾燥風（冷却風）を髪に送給して髪の乾燥を行う。乾燥風の一部は後開口５８から導風壁４６内へ導入され、光源冷却通路から第１通気口４８へ流入しながら、ハロゲンランプ２８とリフレクタ２９、およびフィルタ３０を冷却したのち、第２通気口４２からリフレクタ２９の外へ流出し、導風路９を流動する乾燥風と合流して吹出口１１から送出される。送風ファン３から送給された乾燥風の一部は、光源ユニット４の周囲の導風路９に沿って流動する間に、第２通気口４２の周囲を負圧状態にする。従って、ベンチュリー効果によって、リフレクタ２９内部の第２通気口４２の付近の空気が先の乾燥風に引寄せられて合流し、吹出口１１へと送出される。
【００８９】
乾燥風が第２通気口４２から流出するとき、ハロゲンランプ２８から放射された光の一部が第２通気口４２から漏れ出てしまう。このように、第２通気口４２から漏れ出た光が吹出口１１から放射されて、髪乾燥時のユーザーに眩しさを感じさせるのを防ぐために、第２通気口４２の外面に、第２通気口４２から漏れ出た光を吹出口１１から遠ざかる向きに変向案内する防眩構造が設けられている。図９において防眩構造は、第２通気口４２の開口外面を覆う筒状の防眩壁７５を備えており、先に説明した周回壁６２が防眩壁７５を兼ねている。
【００９０】
第１反射面３９と第２反射面４０が隣接するくびれ部分の周囲に、美容成分を乾燥風に放出する徐放リング８０が配置されている。徐放リング８０は、内リング８１と、外リング８２と、両リングの間に設けられる一群の放射壁８３を一体に備えた多孔セラミック体からなり、その多孔部分にビタミンやコラーゲンなどの美容成分が含浸されている。ユニット支持枠６６と、徐放リング８０と、ばね受枠６４は、それぞれ風導筒７の半割体７ａ・７ｂの対向面の前後３個所に設けた前挟持部８６と、中挟持部８７と、後挟持部８８で強固に挟持固定されている。上記のように、導風路９に臨んで徐放リング８０が設けられていると、徐放リング８０と接触する乾燥風に美容成分を放出して、美容成分を含む乾燥風を吹出口１１から送給することができる。
【００９１】
マイナスイオンを乾燥風とともに髪へ送給するために、吹出口１１に臨む風導筒７の内部にイオン放出構造を設けるとともに、風導筒７を光源ユニット４と吹出口１１の間で前すぼまり状に形成している。図３および図４においてイオン放出構造は、絶縁材で形成される横長長円状の電極ホルダー９１と、電極ホルダー９１で支持される３個の放電電極９２と、放電電極９２の周囲を囲む横長長円状の筒壁９３と、筒壁９３の周囲に固定される対向電極９４とを備えている。さらに電極ホルダー９１には、対向電極９４の外側周囲に横長長円状の外筒壁９３ａが設けられており、これら筒壁９３と外筒壁９３ａとで電極ホルダー９１の前半部は二重筒状に構成されている（図５参照）。このように外筒壁９３ａを設けることにより、放電電極９２から放出されたマイナスイオンが、対向電極９４の外面側へとまわり込むのを阻止して、当該マイナスイオンが対向電極９４に吸収されるのを抑制できる。図５に示すように対向電極９４の前縁には一群の尖端放電部９４ａが形成されている。電極ホルダー９１は風導筒７に設けた一対の挟持壁９５で挟持固定されて、放電電極９２がイオン通口９７に指向されている。図３において、光源ユニット４より前側の風導筒７の上壁部分には、温度センサー９８が配置されている。
【００９２】
上記のように、吹出口１１に臨む風導筒７の内部にイオン放出構造が設けられていると、光源ユニット４から照射される赤外光と、イオン放出構造から放出されるマイナスイオンを乾燥風とともに髪へ送給することができる。従って、髪の乾燥を行いながら、マイナスイオンと結合した空気中の水分を髪に付着させて、髪が不必要に乾燥することを防ぐことができる。また、吹出口１１と正対する側から見るときのイオン放出構造の放電電極９２は光源ユニット４と風導筒７の間に位置されているので、イオン放出構造で生成されたマイナスイオンを導風路９に放出して、送風ファン３から送給される乾燥風とともに吹出口１１から遠くまで送給することができる。
【００９３】
以上より、実施例１のドライヤーにおいては、光源ユニット４と本体ケース１との間に衝撃吸収ばね６９と粘弾性体６７とからなる衝撃吸収構造６５を設けたので、本体ケース１に作用する外部衝撃が光源ユニット４に伝わることを、これら衝撃吸収ばね６９と粘弾性体６７とで緩和吸収して、光源ユニット４に外部衝撃が作用することを確実に防止することができる。従って、ドライヤーに落下衝撃や衝突衝撃などの外部衝撃が作用するような場合でも、ハロゲンランプ２８がショートし断線することを確実に防止して耐久性に優れたドライヤーを得ることができる。
【００９４】
本体ケース１の導風路９の内部に光源ユニット４と送風ファン３を配置し、光源ユニット４と本体ケース１の間に設けた衝撃吸収構造６５を、金属製のばね体である衝撃吸収ばね６９を衝撃吸収要素にして構成したので、送風ファン３から送給される乾燥風が、ハロゲンランプ２８からの熱伝導で加熱された衝撃吸収ばね６９と接触することによっても、当該乾燥風を温風化して吹出口１１から送出させることができる。従って、ハロゲンランプ２８から照射される光による加熱作用に加えて、温風化された乾燥風による加熱作用を発揮され、加熱効率に優れたドライヤーを得ることができる。
【００９５】
前支持構造の衝撃吸収構造６５を粘弾性体６７で構成し、後支持構造の衝撃吸収構造６５を衝撃吸収ばね６９で構成したので、光源ユニット４の前部と本体ケース１の位置関係を粘弾性体６７で維持しながら、光源ユニット４の後部の揺れ動きを衝撃吸収ばね６９で緩和吸収することができる。また、上記構成を採ることで、外部衝撃が作用したときにも、前支持構造で支持された光源ユニット４の前部の径方向変位量を、後支持構造で支持された光源ユニット４の後部の径方向変位量より小さくすることができる。以上より、外部衝撃が光源ユニット４のハロゲンランプ２８に伝わることを衝撃吸収ばね６９で緩和吸収しながら、ハロゲンランプ２８から照射される光の照射中心軸が大きくぶれることを防ぐことができるので、吹出口１１の周辺の構造体がハロゲンランプ２８から照射される光を受けて無駄に加熱されることを確実に防止できる。
【００９６】
また、前支持構造の衝撃吸収構造６５を粘弾性体６７で構成し、後支持構造の衝撃吸収構造６５を衝撃吸収ばね６９で構成したので、本体ケース１に作用する外部衝撃を、光源ユニット４の前部と後部を支持する衝撃吸収構造によって、協同して緩和吸収することができる。従って、光源ユニット４の前部、または後部のみが衝撃吸収構造６５で支持されている構成に比べて、外部衝撃をより効果的に緩和し吸収して、光ハロゲンランプ２８がショートし断線するのをさらに確実に防止できる。リフレクタ２９の前部の径方向寸法を基準にして本体ケース１を構成することができるので、本体ケース１が肥大化するのを避けながら、外部衝撃を粘弾性体６７と衝撃吸収ばね６９とでさらに効果的に緩和吸収することができる。
【００９７】
光源ユニット４と粘弾性体６７とを、光源ユニット４の径方向に凹凸係合する状態で接合したので、光源ユニット４の径方向移動と前後（中心軸Ｐ）方向の移動を粘弾性体６７で緩和吸収して、光源ユニット４のハロゲンランプ２８が外部衝撃を受けて揺れ動くことを速やかに収斂させることができる。
【００９８】
後支持構造の衝撃吸収構造６５を、光源ユニット４の周囲３個所を支持するコイルばねからなる衝撃吸収ばね６９で構成するようにしたので、光源ユニット４のリフレクタ２９を、本体ケース１の中央付近の所定位置に位置保持した状態で浮動支持することができる。また、衝撃吸収ばね６９が外部衝撃を受けて伸縮変形する場合に、各衝撃吸収ばね６９を速やかに収斂させて、光源ユニット４を安定した状態で支持できる。因みに、光源ユニット４の周囲２個所が一対のコイルばねで支持した場合には、光源ユニット４がばね中心線と交差する向きに揺れ動くため、光源ユニット４を安定させるのに余分な時間が掛かる。乾燥風の流れが衝撃吸収ばね６９で乱されるのを極力避けて、乾燥風の送風効率を向上できる利点もある。
【００９９】
本体ケース１の内面にリング状のばね受枠６４を固定し、光源ユニット４と対向するばね受枠６４の３個所にばね座７１を形成して、ばね座７１と光源ユニット４の間に、衝撃吸収ばね６９を配置した。これによれば、本体ケース１の内面に固定したばね受枠６４に光源ユニット４を仮組した状態で、３個の衝撃吸収ばね６９を、ばね受枠６４のばね座７１と光源ユニット４の間に順に組付ければよく、後支持構造をより少ない手間で的確に組むことができる。
【０１００】
六角リング状に形成したばね受枠６４の３個のリング枠部に、ばね座７１を周方向へ均等に隣接する状態で配置した。これによれば、直線状のリング枠部にばね座７１を形成すればよく、例えばばね受枠６４が円形リング状に形成してある場合に比べて、ばね座７１を容易に形成できるうえ、衝撃吸収ばね６９をばね座７１で安定した状態で支持することができる。また、ばね受枠６４と本体ケース１の内面の間に空間が形成されるので、ばね受枠６４の内外両面から放熱でき、さらに衝撃吸収ばね６９からも放熱することができ、放熱効果の向上が期待できる。とくに、本実施例のように、本体ケース１の内部に送風ファン３が設けられたドライヤーの場合には、ばね受枠６４と乾燥風の接触面積が大きい分だけ熱交換を促進して、乾燥風を効果的に温風化することができる。
【０１０１】
前リフレクタ３７と後リフレクタ３８とで構成されるリフレクタ２９において、前後のリフレクタ３７・３８のいずれか一方の接合部に形成した接合溝５２に、他方の接合部に設けた係合壁５７を互いに凹凸係合して、前後のリフレクタ３７・３８を接合した。これによれば、係合壁５７と接合溝５２の係合により、後リフレクタ３８に対する前リフレクタ３７の径方向のずれ動きが阻止された状態で両リフレクタ３７・３８を適正に接合することができる。
【０１０２】
接合溝５２を備えた一方のリフレクタ３８に凹状の後係合部５４を形成し、他方のリフレクタ３７に、後係合部５４と係合する凸状の前係合部５１を形成した。これによれば、凸状係合部５１と凹状係合部５４の係合により、一方のリフレクタ３８に対する他方のリフレクタ３７の中心軸Ｐ回りの回動が阻止された状態で両リフレクタ３７・３８を適正に接合することができる。
【０１０３】
前係合部５１に挿通したビス５６を後係合部５４に形成したねじボス５５にねじ込むことで、前リフレクタ３７と後リフレクタ３８とを分離不能に固定したので、より簡単な締結構造でありながら、前リフレクタ３７と後リフレクタ３８とをビス５６で強固に締結固定することができる。従って、リフレクタ２９に設けた反射面３９・４０・４３の光学特性を常に一定にすることができる。
【０１０４】
前リフレクタ３７を、複数の分割体３７ａ・３７ｂを接合して構成し、後リフレクタ３８の前リフレクタ３７との接合面に、接合溝５２と接合壁５３とを形成し、また、複数の分割体３７ａ・３７ｂを接合し、前リフレクタ３７の開口周縁壁を接合溝５２および接合壁５３で係合支持し、さらに、前係合部５１と後係合部５４を凹凸係合させて、前リフレクタ３７と後リフレクタ３８を一体化するようにした。こうしたリフレクタ２９によれば、分割体３７ａ・３７ｂを接合し、前係合部５１と後係合部５４を凹凸係合させた状態で、ビス５６をねじボス５５にねじ込むことにより、前リフレクタ３７と後リフレクタ３８とを強固に締結固定することができる。また、前リフレクタ３７と後リフレクタ３８の形状や構造が様々に変更される場合であっても、分割体３７ａ・３７ｂと後リフレクタ３８とを互いに位置決めした状態で適正に一体化することができる。
【０１０５】
前リフレクタ３７の照射開口に、ハロゲンランプ２８から放射された光のうち可視光の透過を阻むフィルタ３０が配置するとともに、前リフレクタ３７を複数個の分割体３７ａ・３７ｂで構成した。また、前リフレクタ３７の前端内面に形成したフィルタ受座４１と、前リフレクタ３７の前部周面に外嵌固定される押えリング６０とで、フィルタ３０を挟持固定した。これによれば、フィルタ３０をフィルタ受座４１に組んで、その周面を分割体３７ａ・３７ｂで挟持した状態で、押えリング６０を前リフレクタ３７の前部周面に外嵌し固定することにより、フィルタ３０を前リフレクタ３７に対して簡単に組付けて、分離不能にしっかりと固定することができる。
【０１０６】
リフレクタ２９の後部の光源台４５にソケット３４を固定し、ソケット３４にハロゲンランプ２８のハウジング３２を装着して、ハロゲンランプ２８を光源台４５で支持するようにしたので、ソケット３４を光源台４５から取外すことにより、ハロゲンランプ２８およびソケット３４をリフレクタ２９から分離することができる。また、プラグ３３をソケット３４から抜外すことにより、ハロゲンランプ２８をソケット３４から分離することができる。以上より、ハロゲンランプ２８が故障した場合の交換作業を容易に行うことができる。さらに、ハロゲンランプ２８をリフレクタ２９の後部に設けた光源台４５で安定して支持することができるので、ハロゲンランプ２８とリフレクタ２９の位置関係を常に一定にして、ハロゲンランプ２８から放射された光をフィルタ３０に向かって効率良く反射案内することができる。
【０１０７】
光源台４５の回りを囲む導風壁４６に、衝撃吸収ばね６９用のばね座７２を形成したので、衝撃吸収ばね６９のばね力を導風壁４６で受け止めて、後リフレクタ３８の第３反射面４３にばね力が作用するのを防止でき、第３反射面４３による光の反射案内を常に好適に行うことができる。
【０１０８】
吹出口１１に臨む導風路９の内部にイオン放出構造が設けたので、光源ユニット４から照射される赤外光と、イオン放出構造から放出されるマイナスイオンとを、乾燥風とともに髪へ送給することができる。従って、髪の乾燥を行いながら、マイナスイオンと結合した空気中の水分を髪に付着させて、髪が不必要に乾燥することを防止できる。また、電極ホルダー９１で支持される３個の放電電極９２と、横長長円状の筒壁９３の周囲に固定される対向電極９４とでイオン放出構造を構成したので、各放電電極９２と対向電極９４の間で活発にコロナ放電を生じさせて、より大量のマイナスイオンを乾燥風中に放出させることができる。
【０１０９】
対向電極９４の前縁に複数の尖端放電部９４ａを形成したので、対向電極９４と放電電極９２の間のコロナ放電をさらに活発化して、マイナスイオンを安定した状態で効果的に生成することができる。
【０１１０】
吹出口１１と正対する側から見て、放電電極９２を光源ユニット４と本体ケース１の間に配置したので、イオン放出構造で生成されたマイナスイオンを、光源ユニット４と本体ケース１の間の導風路９に放出することができる。従って、マイナスイオンを送風ファン３から送給される乾燥風とともに吹出口１１から遠くまで送給することができる。
【０１１１】
イオン放出構造を、光源ユニット４の光照射領域の外に位置する状態で、光源ユニット４と吹出口１１の間に配置したので、イオン放出構造で生成されたマイナスイオンを、光源ユニット４と吹出口１１の間の自由空間に放出して乾燥風とともに吹出口１１から送給することができる。また、光源ユニット４の光照射領域の外で、光源ユニット４と吹出口１１の間にイオン放出構造を配置したので、光源ユニット４から放射された光がイオン放出構造で遮られるのを防ぎながら、光源ユニット４と吹出口１１の間のスペースを利用してイオン放出構造を配置することができる。従って、イオン放出構造を設けることで本体ケース１の径方向寸法が大きくなるのを避けて、本体ケース１をコンパクト化することができる。
【０１１２】
風導筒７を、光源ユニット４と吹出口１１の間で前すぼまり状に形成したので、吹出口１１に向かって送給される乾燥風の流速を増強して、乾燥風中に放出されたマイナスイオンを、乾燥風とともに吹出口１１からさらに遠くまで送給することができる。
【０１１３】
本体ケース１を、風導筒７と、風導筒７に外嵌装着される外装筒８とで二重筒状に構成し、また、吹出口１１に臨む風導筒７の前部に、内凹み状のくびれ部３５を形成し、くびれ部３５の内面に吹出グリル２５を配置したので、二重筒状の風導筒７と外装筒８で本体ケース１の構造強度を増強して、衝撃吸収機能を向上することができる。また、二重筒状の風導筒７と外装筒８によって、本体ケース１全体の断熱機能を向上できるうえ、風導筒７の前部に形成したくびれ部３５の周囲の空気層によって断熱作用を強化できるので、高温になっている吹出グリル２５周辺のケース壁の熱が外装筒８に伝導するのをさらに確実に防止して、吹出口１１の近傍のケース壁が高温になるのを解消できる。
【０１１４】
２分割された一対の半割体７ａ・７ｂで風導筒７を構成し、外装筒８を風導筒７に外嵌することにより、一対の半割体７ａ・７ｂを分離不能に保持できるようにした。また、外装筒８の前端内面に装着した吹出ケース５で、風導筒７と外装筒８を係合連結し、吹出ケース５をビス１９で外装筒８に締結固定するようにした。こうしたケース構造によれば、二重筒状の風導筒７と外装筒８を吹出ケース５で分離不能に保持固定して、基本的な構造体である風導筒７や外装筒８が遊動し、あるいはがたつくことを確実に防止できる。
【０１１５】
吹出ケース５と風導筒７は吹出口連結構造で着脱可能に係合連結した。また吹出口連結構造は、吹出ケース５の後面に形成した複数個の係合脚５ｂと、風導筒７の前部外面に設けた複数の係合壁７ｃで構成し、吹出ケース５を回転操作することにより、係合脚５ｂと係合壁７ｃが互いに係合して、外装筒８と吹出ケース５と風導筒７の３者を一体化した。こうしたケース構造によれば、ビス１９を外装筒８から分離し、吹出ケース５を取外す向きに回転操作するだけで、外装筒８を風導筒７から分離し、さらに半割体７ａ・７ｂの一方を他方から取外すことで、本体ケース１に収容された光源ユニット４や送風ファン３などを露出させることができる。従って、ハロゲンランプ２８を交換し、あるいは送風ファン３のメンテナンスを行うような場合に、本体ケース１をより少ない手間で簡単に分解してメンテナンス作業に要する手間を省くことができる。
【０１１６】
吹出口１１に臨む風導筒７の内面に温度センサー９８を配置して、吹出口１１に向かって送給される乾燥風の温度を温度センサー９８で検知できるようにしたので、例えば吹出口１１がタオルで塞がれてしまった場合や、ファンモータ２が過熱状態に陥った場合などに、乾燥風の温度が異常であることを温度センサー９８が検知することができる。従って、ヘアードライヤーの作動を直ちに停止させることができる。
【０１１７】
常態における温度センサー９８は、導風路９に沿って送給される乾燥風に晒されて、比較的低い温度状態に保持されているが、吹出口１１がタオルで塞がれてしまったような異常時には、吹出口１１の内部の温度が急に上昇する。このため、リフレクタ２９の照射開口より前方の風導筒７の内面に温度センサー９８を配置することで、温度異常の検知を適確に行うことができる。なお、温度センサー９８に替えて温度ヒューズを配置してもよく、また、温度センサー９８および温度ヒューズの両者を配置してもよい。
【０１１８】
また実施例１のドライヤーでは、リフレクタ２９の内部に導入した乾燥風でハロゲンランプ２８とリフレクタ２９を冷却しながら、乾燥風と共に第２通気口４２から漏れ出た光を防眩壁７５で遮蔽して、光が導風路９に沿って吹出口１１側へ向かって放射されることを防ぐことができる。例えば、第２通気口４２から漏れ出た光を、防眩壁７５で第２通気口４２の側へ向かって反射させ、あるいは防眩壁７５で散乱させ、さらに防眩壁７５で吸収し減衰させることができる。従って、リフレクタ２９の外へ漏れ出た光が吹出口１１から放射されるのを確実に防止して、髪乾燥時のユーザーに眩しさを感じさせることのないドライヤーを提供できる。
【０１１９】
また、防眩壁７５を筒状に構成し、防眩壁７５の筒壁後端を第２通気口４２の後開口縁より後方へ突設させるようにしたので、第２通気口４２の後開口縁から径方向に放射された光や、斜め前向きに放射された光を、防眩壁７５の筒壁内面で確実に遮蔽できる。光の一部は、防眩壁７５とリフレクタ２９の周面の間の空間を介して導風路９に放射されるが、防眩壁７５の筒壁後端を第２通気口４２の後開口縁より後方に位置したので、導風路９に放射された光は全て後向きに傾斜した状態で反射を繰り返す。従って、導風路９内の光が吹出口１１へ向かって放射されるのをさらに確実に防止できる。
【０１２０】
前リフレクタ３７と後リフレクタ３８でリフレクタ２９を構成し、前リフレクタ３７の前部に配置したフィルタ３０をフィルタ支持構造で固定するようにした。また、フィルタ支持構造は、前リフレクタ３７に形成したフィルタ受座４１と、同受座４１と協同してフィルタ３０を挟持固定する押えリング６０を備えるようにした。これによれば、フィルタ３０をフィルタ受座４１に組み、押えリング６０を前リフレクタ３７の前部周面に外嵌し固定することで、フィルタ３０を前リフレクタ３７に簡単に組付けて、分離不能にしっかりと固定することができる。
【０１２１】
送風ファン３から送給された乾燥風は、第１通気口４８からリフレクタ２９の内部に導入されて第２通気口４２から送出される。これによれば、リフレクタ２９の内部における乾燥風の流れの方向と、送風ファン３から送給された乾燥風の導風路９における流れの方向を一致させることができるので、乾燥風の一部をリフレクタ２９の内部に確実に導入して、光源ユニット４とリフレクタ２９の冷却を適確に行うことができる。
【０１２２】
また、防眩壁７５と第２通気口４２の間に通気通路７６を形成し、同通路７６の前端の通路端壁７７と防眩壁７５で挟まれる内隅部分に、乾燥風を後向きに反転案内する後反転案内面７８を形成するようにした。このように、防眩壁７５と通路端壁７７の間の内隅部分に後反転案内面７８が形成されていると、第２通気口４２を通過した後の乾燥風を後反転案内面７８で通気通路７６の後開口へ向かって円滑に反転案内することができる。従って、通気通路７６における乾燥風の流れを整然とした流れにして、光源ユニット４とリフレクタ２９を冷却した後の乾燥風の一部が第２通気口４２や通気通路７６で滞留するのを解消できる。
【０１２３】
加えて、防眩壁７５の後端部に、通気通路７６から流出する乾燥空気を前向きに反転案内する前反転案内面７９を形成したので、通気通路７６から流出した乾燥空気を防眩壁７５の外面側へ向かって円滑に反転案内させて、導風路９を流動する乾燥風に合流させることができる。
【０１２４】
（実施例２）  図１３に衝撃吸収構造６５を変更した本発明に係る光照射装置（ドライヤー）の実施例２を示す。この実施例２のドライヤーでは、本体ケース１を風導筒７と外装筒８で構成し、風導筒７の内部に光源ユニット４とファンモータ２および送風ファン３とを配置した。光源ユニット４は風導筒７の内部に設けた光源ホルダー１０１で固定支持し、ファンモータ２は風導筒７の内部に設けたホルダー部２１で固定支持した。光源ホルダー１０１は複数個の放射壁で構成した。風導筒７と外装筒８の間に粘弾性体６７を周方向へ断続的に配置して衝撃吸収構造６５とし、外部衝撃がハロゲンランプ２８に伝わるのを粘弾性体６７で防止するようにした。
【０１２５】
光源ユニット４は、ハロゲンランプ２８およびハウジング３２と、ハウジング３２に固定したリフレクタ２９で構成した。リフレクタ２９は、ハロゲンランプ２８から放射された可視光および赤外光を吹出口１１へ向かって反射案内する第１反射面３９を備えるものとした。上記以外の点は、実施例１と同様であるので、同一の部材には同一の符号を付してその説明を省略する。以下の実施例においても同様とする。
【０１２６】
以上のような構成からなる実施例２に係る衝撃吸収構造６５では、外装筒８に外部衝撃が作用する場合には、各粘弾性体６７が伸縮変形して、外部衝撃が風導筒７から光源ユニット４へ伝わるのを緩和することができる。なお、衝撃吸収構造６５は、粘弾性体６７に換えて、金属製の衝撃吸収ばね６９で構成してもよく、その場合には、風導筒７の周面の前後を、それぞれ３ないし４個の衝撃吸収ばね６９で支持するとよい。
【０１２７】
（実施例３）  図１４に衝撃吸収構造６５を変更した本発明に係る光照射装置（ドライヤー）の実施例３を示す。実施例３においては、ハロゲンランプ２８およびハウジング３２と、ハウジング３２に固定したリフレクタ２９で光源ユニット４を構成し、風導筒７とハウジング３２との間に圧縮コイル形の衝撃吸収ばね６９を配置して衝撃吸収構造６５とし、外部衝撃がハロゲンランプ２８に伝わるのを衝撃吸収ばね６９で防止するようにした。衝撃吸収ばね６９は、ハウジング３２の周面の３ないし４個所を支持している。常態における光源ユニット４は、衝撃吸収ばね６９の圧縮力（約２ｋｇ）を受けて、風導筒７の中央に位置保持されているが、外部衝撃が作用した場合には、各衝撃吸収ばね６９が伸縮変形して、外部衝撃が風導筒７から光源ユニット４へ伝わるのを緩和する。
【０１２８】
（実施例４）  図１５に衝撃吸収構造６５を変更した本発明の光照射装置（ドライヤー）の実施例４を示す。この実施例４においては、リフレクタ２９を実施例２で説明した光源ホルダー１０１で固定支持し、ハロゲンランプ２８のハウジング３２と風導筒７の間に、圧縮コイル形の衝撃吸収ばね６９を配置して衝撃吸収構造６５とし、外部衝撃がハロゲンランプ２８に伝わるのを衝撃吸収ばね６９で防止するようにした。衝撃吸収ばね６９は、ハウジング３２の周面の３ないし４個所を支持するものとした。こうした衝撃吸収構造６５によれば、ハロゲンランプ２８のみを衝撃吸収ばね６９で支持すればよいので、衝撃吸収ばね６９のばね定数を小さくできる。常態における光源ユニット４は、衝撃吸収ばね６９の圧縮力を受けて、リフレクタ２９の後開口の中央に位置保持されているが、外部衝撃が作用した場合には、各衝撃吸収ばね６９が伸縮変形して、外部衝撃が風導筒７から光源ユニット４へ伝わるのを緩和する。
【０１２９】
（実施例５）  図１６に衝撃吸収構造６５を変更した本発明の光照射装置（ドライヤー）の実施例５を示す。この実施例５においては、リフレクタ２９の周面の３個所以上に放射状の支持腕１０２を設け、支持腕１０２の突端を風導筒７の内面に固定した粘弾性体６７で支持して衝撃吸収構造６５とした。ハロゲンランプ２８は、そのハウジング３２をリフレクタ２９の後部開口に固定することにより、リフレクタ２９と一体化した。この衝撃吸収構造６５によれば、外部衝撃が作用した場合には、各粘弾性体６７が伸縮変形することで、外部衝撃が風導筒７から光源ユニット４へ伝わることを緩和できる。
【０１３０】
（実施例６）  図１７に衝撃吸収構造６５を変更した本発明の光照射装置（ドライヤー）の実施例６を示す。この実施例６においては、リフレクタ２９の前部周面と風導筒７の間に板ばね製の衝撃吸収ばね６９を配置して衝撃吸収構造６５とした。Ｕ字状に折曲げ形成した衝撃吸収ばね６９は、リフレクタ２９の周面の３個所以上に設けた。ハロゲンランプ２８は、そのハウジング３２をリフレクタ２９の後部開口に固定することにより、リフレクタ２９と一体化した。こうした衝撃吸収構造６５によれば、外部衝撃が作用した場合には、各衝撃吸収ばね６９が伸縮変形することで、外部衝撃が風導筒７から光源ユニット４へ伝わることを緩和できる。
【０１３１】
（実施例７）  図１８に衝撃吸収構造６５を変更した光照射装置（ドライヤー）の実施例７を示す。この実施例７においては、光源ユニット４をハロゲンランプ２８とリフレクタ２９で構成し、フィルタ３０は風導筒７の内面に設けた放射壁状のフィルタ支持腕１０３で支持されるものとした。また、風導筒７とハウジング３２との間に圧縮コイル形の衝撃吸収ばね６９を配置して衝撃吸収構造６５とした。こうした衝撃吸収構造６５によれば、外部衝撃が作用した場合には、各衝撃吸収ばね６９が伸縮変形することで、外部衝撃が風導筒７から光源ユニット４へ伝わることを緩和できる。
【０１３２】
（実施例８）  図１９に衝撃吸収構造６５を変更した本発明の光照射装置（ドライヤー）の実施例８を示す。この実施例８においては、光源ユニット４をハロゲンランプ２８とリフレクタ２９とフィルタ３０で構成した。また、リフレクタ２９の前周面に弾性体装着座１０４を形成し、同装着座１０４に装着したリング状の粘弾性体６７が、風導筒７の内面に設けた丸筒状の弾性体受座１０５で受止められるようにした。さらに、光源ユニット４を引張りばね１０６でファンモータ２の側へ引張り付勢して、粘弾性体６７を弾性体受座１０５に常時密着させて衝撃吸収構造６５とした。引張りばね１０６の一端はハウジング３２に、他端はファンモータ２に掛止した。以上のように、前支持構造は、粘弾性体６７を衝撃吸収要素にして構成されており、後支持構造は、引張りばね（ばね体）１０６を衝撃吸収要素にして構成した。換言すれば、衝撃吸収構造６５を粘弾性体６７と引張りばね（ばね体）１０６とで構成した。こうした衝撃吸収構造６５によれば、外部衝撃が作用した場合には、光源ユニット４の後端が揺れ動こうとすることを引張りばね１０６が伸縮することで緩和吸収し、さらに粘弾性体６７が圧縮変形することで、外部衝撃が風導筒７から光源ユニット４へ伝わることを緩和できる。
【０１３３】
（実施例９）  図２０に衝撃吸収構造６５を変更した本発明の光照射装置（ドライヤー）の実施例９を示す。この実施例９においては、ハロゲンランプ２８のハウジング３２を、２個の渦巻きばね状の衝撃吸収ばね６９で支持して衝撃吸収構造６５とした。各衝撃吸収ばね６９の外端は、風導筒７の内面の上部および下部に固定し、各衝撃吸収ばね６９の内端は、ハウジング３２の上面および下面に固定するようにした。こうした衝撃吸収構造６５によれば、外部衝撃が作用した場合に、光源ユニット４の後端が揺れ動こうとするのを各衝撃吸収ばね６９が伸縮することで、外部衝撃が風導筒７から光源ユニット４へ伝わることを緩和できる。
【０１３４】
（実施例１０）  図２１、および図２２に前支持構造の衝撃吸収構造６５を変更した本発明の光照射装置（ドライヤー）の実施例１０を示す。この実施例１０においては、風導筒７の内面に固定したゲル保持リング１０９とリフレクタ２９の間に３個のブロック状の粘弾性体６７を配置して衝撃吸収構造６５とした。粘弾性体６７の外面をゲル保持リング１０９に設けた筒座上のゲル保持部７３で保持し、リフレクタ２９（光源ユニット４）と粘弾性体６７とは、リフレクタ２９（光源ユニット４）の径方向に凹凸係合する状態で接合した。詳しくは、図２２に示すように、リフレクタ２９の周面に突設したリブ壁１１０が、粘弾性体６７の内面に設けた凹溝１１１に係合する状態で、リフレクタ２９と粘弾性体６７とを接合させた。こうした前支持構造によれば、リフレクタ２９の径方向移動と前後方向の移動を粘弾性体６７で緩和吸収することで、外部衝撃が風導筒７から光源ユニット４へ伝わることを解消できる。なお、凹溝１１１はリフレクタ２９に形成し、リブ壁１１０は粘弾性体６７に形成してもよい。
【０１３５】
（実施例１１）  図２３に前支持構造の衝撃吸収構造６５を変更した本発明の光照射装置（ドライヤー）の実施例１１を示す。この実施例１１においては、風導筒７の内面に衝撃吸収リング１１２を固定し、同リングの内面３個所に設けた弾性変形可能な支持腕１１３でリフレクタ２９を支持するようにした。支持腕１１３は、その突端がリフレクタ２９の周面に形成した凹字状の連結部１１４に係合固定させた。こうした衝撃吸収構造６５によれば、外部衝撃が作用した場合には、各支持腕１１３が弾性変形して光源ユニット４が揺れ動こうとするのを規制して、外部衝撃が風導筒７から光源ユニット４へ伝わることを緩和できる。支持腕１１３を備えた衝撃吸収リング１１２は、耐熱樹脂あるいは金属ばね材で形成するとよい。
【０１３６】
（実施例１２）  図２４に前支持構造の衝撃吸収構造６５を変更した本発明の光照射装置（ドライヤー）の実施例１２を示す。この実施例１２においては、実施例１１と同様に支持腕１１３を備えた衝撃吸収リング１１２でリフレクタ２９を支持するが、支持腕１１３を傾斜させ、さらに腕先端に形成した部分円弧状の接合部１１５を凹字状の連結部１１４に圧接させる点が実施例１１と異なる。すなわち、本実施例では、傾斜する支持腕１１３を備えた衝撃吸収リング１１２で衝撃吸収構造６５を構成した。こうした衝撃吸収構造６５によれば、外部衝撃が作用した場合には、各支持腕１１３が径方向に弾性変形することで、光源ユニット４が揺れ動こうとするのを規制して、外部衝撃が風導筒７から光源ユニット４へ伝わるのを緩和できる。
【０１３７】
（実施例１３）  図２５に衝撃吸収構造６５を変更した本発明の光照射装置（ドライヤー）の実施例１３を示している。この実施例１３においては、光源ユニット４をハロゲンランプ２８とリフレクタ２９とフィルタ３０で構成し、ハウジング３２の左右側面に設けたボス１１６を、風導筒７の内面に固定した揺動軸１１７で軸支して、光源ユニット４が揺動軸１１７を中心にして上下回動できるように支持した。そのうえで、リフレクタ２９の前部周面の上面および下面と、風導筒７の間に一対の衝撃吸収ばね６９を配置して、光源ユニット４を、その中心軸が中心軸Ｐと平行になる状態で、衝撃吸収ばね６９で支持した。こうした衝撃吸収構造６５によれば、外部衝撃が作用した場合には、各衝撃吸収ばね６９が伸縮変形することで、光源ユニット４が上下に回動しようとするのを規制して、外部衝撃が風導筒７から光源ユニット４へ伝わることを緩和できる。
【０１３８】
（実施例１４）  図２６に衝撃吸収構造６５を変更した本発明の光照射装置（ドライヤー）の実施例１４を示す。この実施例１４においては、リフレクタ２９の前部周面の上面および下面と、風導筒７の間に一対の前衝撃吸収ばね（衝撃吸収ばね）６９Ａ（６９）を配置し、ハウジング３２の上面および下面と、風導筒７の間に一対の後衝撃吸収ばね（衝撃吸収ばね）６９Ｂ（６９）を配置して、光源ユニット４を浮動支持した。前衝撃吸収ばね６９Ａおよび後衝撃吸収ばね６９Ｂは、それぞれ圧縮コイルばね（ばね体）で形成し、前衝撃吸収ばね６９Ａのばね定数は、後衝撃吸収ばね６９Ｂのばね定数より大きく設定した。こうした衝撃吸収構造６５によれば、前支持構造の衝撃吸収ばね６９（６９Ａ）と後支持構造の衝撃吸収ばね６９（６９Ｂ）に外部衝撃が作用するとき、前支持構造の衝撃吸収ばね６９の変位量を、後支持構造の衝撃吸収ばね６９の変位量より小さくすることができる。従って、本体ケース１に作用する外部衝撃を、リフレクタ２９の前部と後部を支持する前後の衝撃吸収ばね６９Ａ・６９Ｂで協同して効果的に緩和吸収しながら、ハロゲンランプ２８から照射される光の照射中心軸が大きくぶれるのを防止して、吹出口１１の周辺の構造体がハロゲンランプ２８から照射される光を受けて無駄に加熱されるのを防止できる。
【０１３９】
（実施例１５）  図２７に衝撃吸収構造６５を変更した本発明の光照射装置（ドライヤー）の実施例１５を示す。この実施例１５においては、ハウジング３２の下面と、風導筒７の間に配置した１個の衝撃吸収ばね６９で光源ユニット４を浮動支持した。圧縮コイルばねで構成した衝撃吸収ばね６９の両端は、ハウジング３２および風導筒７に固定した。こうした衝撃吸収構造６５によれば、外部衝撃が作用した場合には、衝撃吸収ばね６９が伸縮変形し、あるいは傾動変形することで光源ユニット４が揺れ動こうとするのを規制して、外部衝撃が風導筒７から光源ユニット４へ伝わることを緩和できる。
【０１４０】
（実施例１６）  図２８に衝撃吸収構造６５を変更した本発明の光照射装置（ドライヤー）の実施例１６を示す。この実施例１６においては、実施例１５と同様にハウジング３２の下面と、風導筒７の間に配置した１個の衝撃吸収ばね６９で光源ユニット４を浮動支持するが、衝撃吸収ばね６９を板ばねで横臥Ｕ字状に形成する点が実施例１５と異なる。衝撃吸収ばね６９の上腕および下腕は、それぞれハウジング３２および風導筒７に固定した。こうした衝撃吸収構造６５によれば、外部衝撃が作用した場合には、衝撃吸収ばね６９が上下に弾性変形することで光源ユニット４が揺れ動こうとするのを規制して、外部衝撃が風導筒７から光源ユニット４へ伝わることを緩和できる。
【０１４１】
空気の吸込口１０は、上記の各実施例のように本体ケース１の後端背面に形成される形態に加え、本体ケース１の後端背面は塞がれ同ケース１の後端周側面に形成される形態であってもよい。本発明に係る導風路９の一端（後端）に設けられる吸込口１０とは、これら形態を含む意味である。本体ケース１の後端周側面に吸込口１０を設けた場合には、送風ファン３は、プロペラ型ないしインペラ型の軸流ファン、求心ファンなどで構成する。リフレクタ２９の形状は、乾燥対象への赤外光の放射態様により適宜変更することができる。本発明における光照射装置は、毛髪を乾燥対象とするヘアードライヤーに限らず、手足、爪などの身体部位、あるいは人用に限らず犬や猫など動物用のドライヤーにも適用でき、また、衣類用の衣類乾燥器にも適用できる。さらに、本発明の光照射装置は、乾燥対象に対して光を照射する機器であれば、例えば、毛髪を乾燥しながらカール状、あるいはストレート状に整形することができるドライヤーの機能を備えたヘアーアイロンや、光を患部に照射する光治療器にも適用できる。上記以外に、光源２８はハロゲンランプ以外に、白熱ランプ、キセノンランプ、メタルハライドランプなどであってもよい。
【符号の説明】
【０１４２】
１  ケース構造（本体ケース）
３  送風構造（送風ファン）
４  発光構造（光源ユニット）
５  吹出ケース
５ａ  接当部
５ｂ  係合脚
７  風導筒
７ａ  半割体
７ｂ  半割体
７ｃ  係合壁
８  外装筒
８ａ  ケース受座
９  導風路
１０  吸込口
１１  吹出口
１９  ビス
２５  吹出グリル
２８  光源（ハロゲンランプ）
２９  リフレクタ
３０  フィルタ
３２  ハウジング
３４  ソケット
３５  くびれ部
３７  前リフレクタ
３７ａ  分割体
３７ｂ  分割体
３８  後リフレクタ
４１  フィルタ受座
４２  第２通気口
４５  光源台
４６  導風壁
４８  第１通気口
５１  凸状係合部（前係合部）
５２  接合溝
５３  接合壁
５４  凹状係合部（後係合部）
５５  ねじボス
５７  係合壁
５６  ビス
６０  押えリング
６４  ばね受枠
６５  衝撃吸収構造
６７  粘弾性体
６９  ばね体、衝撃吸収ばね
７１  ばね座
７２  ばね座
９１  電極ホルダー
９２  放電電極
９３  筒壁
９４  対向電極
９４ａ  尖端放電部
９８  温度センサー
【図１】
2020054496.tif 000003
【図２】
2020054496.tif 000004
【図３】
2020054496.tif 000005
【図４】
2020054496.tif 000006
【図５】
2020054496.tif 000007
【図６】
2020054496.tif 000008
【図７】
2020054496.tif 000009
【図８】
2020054496.tif 000010
【図９】
2020054496.tif 000011
【図１０】
2020054496.tif 000012
【図１１】
2020054496.tif 000013
【図１２】
2020054496.tif 000014
【図１３】
2020054496.tif 000015
【図１４】
2020054496.tif 000016
【図１５】
2020054496.tif 000017
【図１６】
2020054496.tif 000018
【図１７】
2020054496.tif 000019
【図１８】
2020054496.tif 000020
【図１９】
2020054496.tif 000021
【図２０】
2020054496.tif 000022
【図２１】
2020054496.tif 000023
【図２２】
2020054496.tif 000024
【図２３】
2020054496.tif 000025
【図２４】
2020054496.tif 000026
【図２５】
2020054496.tif 000027
【図２６】
2020054496.tif 000028
【図２７】
2020054496.tif 000029
【図２８】
2020054496.tif 000030